(57)【特許請求の範囲】
【請求項１】
複数の信号変換装置によって個別に送信もしくは受信され、かつ波長が異なる光信号と、光多重伝送路を介して伝送される波長多重信号との間における多重化と逆多重化との双方または何れか一方を行う多重化手段と、
前記複数の信号変換装置の内、特定の信号変換装置によって出力され、これらの信号変換装置の全てまたは一部において同期の基準となる基準信号で変調された基準光信号を受信する基準信号受信手段と、
前記複数の信号変換装置の全てあるいは一部に、前記基準信号受信手段によって受信された基準光信号を分配する基準信号分配手段と
を備えたことを特徴とする波長多重化装置。
【請求項２】
複数の信号変換装置によって個別に送信もしくは受信され、かつ波長が異なる光信号と、光多重伝送路を介して伝送される波長多重信号との間における多重化と逆多重化との双方または何れか一方を行う多重化手段と、
前記複数の信号変換装置の内、特定の信号変換装置によって出力され、これらの信号変換装置の全てまたは一部において同期の基準となる基準信号で変調された基準光信号を受信する基準信号受信手段と、
前記複数の信号変換装置の全てあるいは一部に、前記基準信号受信手段によって受信された基準光信号を分配する基準信号分配手段とを備え、
前記多重化手段は、
前記光多重伝送路を介して伝送される波長多重信号と、その波長多重信号から逆多重化された光信号の全てもしくは一部の光増幅を行う光増幅器を有し、
前記基準信号分配手段は、
前記基準信号受信手段によって受信された基準光信号で前記光増幅に供される励起光を変調することによってその基準光信号を分配する
ことを特徴とする波長多重化装置。
【請求項３】
複数の信号変換装置によって個別に送信もしくは受信され、かつ波長が異なる光信号と、光多重伝送路を介して伝送される波長多重信号との間における多重化と逆多重化との双方または何れか一方を行う多重化手段と、
前記信号変換装置において同期の基準となる基準信号で変調された基準光信号を生成する基準信号生成手段と、
前記複数の信号変換装置の全てまたは一部に、前記基準信号生成手段によって生成された基準光信号を分配する基準信号分配手段とを備え、
前記多重化手段は、
前記光多重伝送路を介して伝送される波長多重信号と、その波長多重信号から逆多重化された光信号の全てもしくは一部の光増幅を行う光増幅器を有し、
前記基準信号分配手段は、
前記選択基準信号生成手段によって生成された基準光信号で前記光増幅に供される励起光を変調することによってその基準光信号を分配する
ことを特徴とする波長多重化装置。
【請求項４】
請求項１から３のいずれか一項に記載の波長多重化装置において、
前記信号変換装置は、
伝送路を介して伝送される信号と、光多重伝送路を介して伝送される多重信号に波長多重化された光信号、もしくは波長多重化されるべき光信号との間における双方向または一方向の変換を行う変換手段と、
前記光信号と前記多重信号との間における多重化と逆多重化との双方もしくは何れか一方を行う波長多重化装置によって与えられ、かつ前記伝送路との同期の基準となる基準信号で変調された基準光信号を受信する基準信号受信手段とを備え、
前記変換手段は、
前記基準信号受信手段によって受信された基準光信号に基づいて前記同期をとる
ことを特徴とする波長多重化装置。
【請求項５】
請求項１から３のいずれか一項に記載の波長多重化装置において、
前記信号変換装置は、
伝送路を介して伝送される信号と、光多重伝送路を介して伝送される多重信号に波長多重化された光信号、もしくは波長多重化されるべき光信号との間における双方向または一方向の変換を行う変換手段と、
前記光信号と前記多重信号との間における多重化と逆多重化との双方もしくは何れか一方を行う波長多重化装置に、前記伝送路との同期の基準となる基準信号で変調された基準光信号を送出する基準信号送出手段と
を備えたことを特徴とする波長多重化装置。
【請求項６】
請求項５に記載の波長多重化装置において、
前記基準光信号の波長は、前記光信号の波長と異なり
前記基準信号送出手段は、
前記光信号に波長多重化された特定の光信号として前記基準光信号を前記波長多重化装置に送出する
ことを特徴とする波長多重化装置。
【請求項７】
請求項１から３のいずれか一項に記載の波長多重化装置において、
前記信号変換装置に、前記複数の信号変換装置の保守と運用との双方もしくは何れか一方にかかわる情報に応じて、前記波長多重信号に波長多重化された光信号の何れの波長とも波長が異なる特定の光信号を変調する付加変調手段を設け、
前記多重化装置は、
前記付加変調手段によって変調された特定の光信号を前記複数の信号変換装置に分配する
ことを特徴とする波長多重化装置。
【請求項８】
請求項１から３のいずれか一項に記載の波長多重化装置において、
前記信号変換装置は、
伝送路を介して伝送される信号と、光多重伝送路を介して伝送される波長多重信号に波長多重化された光信号、もしくは波長多重化されるべき光信号との間における双方向または一方向の変換を行う変換手段と、
保守と運用との双方もしくは何れか一方にかかわる情報に応じて、前記波長多重信号に波長多重化されるべき光信号を変調する付加変調手段と
を備えたことを特徴とする波長多重化装置。
【発明の詳細な説明】
【０００１】
【発明の属する技術分野】
本発明は、複数の光信号の多重化と逆多重化との双方もしくは何れか一方を波長領域において行う波長多重化装置と、これらの光信号の何れかに対応した伝送路とその波長多重化装置とのインタフェースをとる信号変換装置とに関する。
【０００２】
【従来の技術】
近年、波長およびレベルが安定な光源、狭帯域の光分波合波器その他の光デバイスを実現する技術が急速に進展しつつあるために、波長分割多重伝送方式（ＷＤＭ:Wavelength Division Multiplex）は、幹線系およびアクセス系の網にも積極的に適用されつつある。
図３４は、波長分割多重伝送方式に適応したノードの第一の構成例を示す図である。
【０００３】
図において、ＯＥＯ変換部１１０-1〜１１０-Nには、共通の外部クロック信号が与えられる。全二重の光伝送路１１１-1〜１１１-Nの上りのリンクは、それぞれＯＥＯ変換部１１０-1〜１１０-Nを介して波長多重化部１１２の対応する多重化入力に接続される。波長多重化部１１２が有する複数Ｎの逆多重化出力は、それぞれＯＥＯ変換部１１０-1〜１１０-Nを介して光伝送路１１１-1〜１１１-Nの下りのリンクに接続される。波長多重化部１１２の多重化出力および逆多重化入力は、波長分割多重伝送方式に適応した全二重の光多重伝送路１１３の一端に接続される。
【０００４】
ＯＥＯ部１１０-1は、下記の要素から構成される。
・光伝送路１１１-1の上りのリンクに縦続接続されたＯＥ変換部１２４ｕ-1、および同期部１２５ｕ-1
・同期部１２５ｕ-1の後段に配置され、かつ出力が波長多重化部１１２の対応する多重化入力に接続された波長変換部１２６ｕ-1
・波長多重化部１１２の対応する逆多重化出力に縦続接続されたＯＥ変換部１２４ｄ-1および同期部１２５ｄ-1
・同期部１２５ｄ-1の後段に配置され、かつ出力が光り伝送路１１１-1の下りのリンクに接続された波長変換部１２６ｄ-1
・入力に上述した外部クロックが与えられるクロック受信部１２７-1
・外部クロックを代替し得る内部クロックを生成するクロック生成部１２８-1
ＯＥ変換部１２４ｕ-1、１２４ｄ-1のモニタ端子にそれぞれ直結されたクロック抽出部１２９ｕ-1、１２９ｄ-1
上述したクロック受信部１２７-1、クロック生成部１２８-1およびロック抽出部１２９ｕ-1、１２９ｄ-1の出力に接続され、かつ出力が同期部１２５ｕ-1、１２５ｄ-1のクロック入力に接続されたクロック選択部１３０-1
なお、ＯＥＯ部１１０-2〜１１０-Nの構成については、ＯＥＯ部１１０-1の構成と同じであるので、以下では、機能および構成が同じ要素については、添え番号「１」に代わる添え番号「２」〜「Ｎ」が付加された同じ符号を付与し、ここでは、その説明を省略する。
【０００５】
波長多重化部１１２は、下記の要素から構成される。
・ＯＥＯ部１１０-1〜１１０-Nに備えられた波長変換部１２６ｕ-1〜１２６ｕ-Nの出力に光ファイバを介してそれぞれ接続された光カプラ１３１ｕ
・光カプラ１３１ｕの後段に配置され、かつ出力が光多重伝送路１１３の上りのリンクに接続された送信増幅器１３２ｕ
・光多重伝送路１１３の下りのリンクに接続された受信増幅器１３２ｄ
・受信増幅器１３２ｄの後段に配置され、かつＯＥＯ部１１０-1〜１１０-Nに備えられたＯＥ変換部１２４ｄ-1〜１２４ｄ-Nの入力にそれぞれ接続された出力を有する光フィルタ１３１ｄ
なお、以下では、ＯＥＯ部１１０-1〜１１０-Nに共通の事項については、添え番号「１」〜「Ｎ」の何れにも該当し得ることを意味する添え番号「ｃ」を適用して記述する。
【０００６】
ＯＥＯ部１１０-cでは、ＯＥ変換部１２４ｕ-cは、光伝送路１１１-cの上りのリンクを介して与えられ、かつ伝送情報に応じて変調された光信号を電気信号（以下、「上り信号」という。）に変換する。
また、波長多重化部１１２に備えられた受信増幅器１３２ｄにでは、ＯＥＯ部１１０-1〜１１０-N（光伝送路１１０-1〜１１０-N）に個別に対応し、かつ波長が異なる複数Ｎの光信号（以下、「下り光信号」という。）が波長多重化されることによって生成された波長多重信号（以下、「下り光多重信号」という。）が光多重伝送路１１３の下りのリンクを介して与えられる。
【０００７】
光フィルタ１３１ｄは、受信増幅器１３２ｄを介して与えられるこの下り光多重信号を波長領域で分離（逆多重化）することによって、ＯＥＯ部１１０-1〜１１０-Nにそれぞれ対応する下り光信号を与える。
ＯＥＯ部１１０-cでは、ＯＥ変換部１２４ｄ-cは、このようにして分配された下り光信号を電気信号（以下、「下り信号」という。）に変換する。
【０００８】
クロック抽出部１２９ｕ-c、１２９ｄ-cは、それぞれ上述した上り信号と下り信号とに同期した上りクロック信号と下りクロック信号とを生成する。
また、クロック受信部１２７-cは、既述の外部クロック信号に規定の処理（例えば、波形成形等）を施す。
さらに、クロック生成部１２８-cは、所定の内部クロック信号を定常的に生成する。
【０００９】
クロック選択部１３０-cは、既述の上りクロック信号、下りクロック信号、外部クロック信号および内部クロック信号の内、局情報に併せて、保守や運用の形態に整合した何れかのクロック信号（ここでは、簡単のため「外部クロック信号」であると仮定し、以下、「基準クロック」という。）を選択する。なお、基準クロックの周波数については、以下では、簡単のため、１．５４４ＭHzであると仮定する。
【００１０】
同期部１２５ｕ-cは、ＯＥ変換部１２４ｕ-cによって与えられる上り信号のリタイミングをこの基準クロックに同期して行うことによって「成形上り信号」を生成する。
波長変換部１２６ｕ-cは、この成形上り信号で変調された所定の波長の光信号（以下、「上り光信号」という。）を生成する。
【００１１】
波長多重化部１１２では、光カプラ１３１ｕは、このようにしてＯＥＯ部１１０-1〜１１０-Nによって並行して生成された複数Ｎの上り光信号を波長多重化することによって、波長多重信号（以下、「上り光多重信号」という。）を生成する。
送信増幅器１３２ｕは、この上り光多重信号を所定のレベルで光多重伝送路１１３の上りのリンクに送信する。
【００１２】
また、ＯＥＯ部１１０-cでは、同期部１２５ｄ-cは、ＯＥ変換部１２４ｄ-cによって与えられた下り信号のリタイミングを上述した基準クロックに同期して行うことによって「成形下り信号」を生成する。
波長変換部１２６ｄ-cは、この成形下り信号で変調された所定の波長の光信号を生成し、光伝送路１１１-cの下りのリンクにその光信号を送出する。
【００１３】
したがって、光伝送路１１１-1〜１１１-Nと光多重伝送路１１３との間では、既述の局情報や保守・運用の形態に柔軟に適応した同期が図られ、このような同期の下で所望の伝送情報が波長多重方式に基づいて安定に、かつ確度高く伝送される。
なお、以下では、上述した従来例については、後述する従来例との峻別をはかるために、「第一の従来例」と称する。
【００１４】
図３５は、多重分割多重伝送方式に適応したノードの第二の構成例を示す図である。
図において、図３４に示すノードとの構成の相違点は、ＯＥＯ部１１０-1〜１１０-Nの内、所定の数のＯＥＯ部のが個別に有する制御端子にそれぞれ接続されたポートを有する単一または複数ｎ(≦Ｎ)の監視制御部２００-1〜２００-nが備えられ、かつこれらの監視制御部２００-1〜２００-nと波長多重化部１１２との通信ポートに個別に接続された通信ポートを有するＭＣ部２０１が備えられた点にある。
【００１５】
なお、ＯＥＯ部１１０-1〜１１０-Nおよび波長多重化部１１２の基本的な構成については、図３４に示す通りであるので、ここでは、簡単のため図示を省略する。
このような構成のノード（以下、「第二の従来例」という。）では、監視制御部２００-1〜２００-nは、ＯＥＯ部１１０-1〜１１０-Nの内、配下のＯＥＯ部とＭＣ部２０１との間で引き渡されるべきコマンド（個々のＯＥＯ部の稼働の形態を示す。）とステータス（稼働状況）との伝送を実現する処理を並行して行う。
【００１６】
ＭＣ部２０１は、上述したＯＥＯ部１１０-1〜１１０-Nと波長多重化部１１２との保守と運用とにかかわる所定の処理を主導的に行い、その処理の手順に基づいて既述の通信ポートと監視制御部２００-1〜２００-nとを介してこれらのＯＥＯ部１１０-1〜１１０-Nと波長多重化部１１２と相互に、上述したコマンドとステータスとを交換する。
【００１７】
したがって、ＯＥＯ部１１０-1〜１１０-Nと相互にこれらのコマンドおよびステータスが引き渡されるために要する負荷（処理量）は、監視制御部２００-1〜２００-nによって分散が図られる。
すなわち、ＭＣ部２０１の処理量とそのＭＣ部２０１に備えられるべき通信ポートの数とは、搭載されるべきＯＥＯ部１１０-1〜１１０-Nの数Ｎがノード毎に大幅に異なり、あるいは運用の過程で大量に増設され得る場合であっても、小さな値に抑制される。
【００１８】
したがって、構成の標準化とコストの削減とが確度高く達成されると共に、保守や運用の多様な形態に対する柔軟な適応と総合的な信頼性の維持とが確度高く達成される。
【００１９】
【発明が解決しようとする課題】
ところで、上述した第一の従来例では、ＯＥＯ部１１０-1〜１１０-Nの全てに供給されるべき外部クロック信号は、これらのＯＥＯ部１０-1〜１１０-Nの対応する端子の間に予め敷設された同軸ケーブルその他の線路を介して供給されなければならないにもかかわらず、既述の局情報、保守・運用の形態に応じて決定されるために、必ずしも共通であるとは限らなかった。
さらに、このような外部クロック信号の供給源およびＯＥＯ部１１０-1〜１１０-Nは、同一の局舎やフロアに設置されるとは限らなかった。
【００２０】
したがって、光伝送路１１１-1〜１１１-Nの内、所定の属性（例えば、キャリア等の運用者や利用者）が共通である光伝送路の組み合わせ（グループ）毎に対応した個別の外部クロック信号に対する同期の確立は、コスト高であり、かつ工事等にかかわる種々の制約に阻まれて柔軟には実現され難かった。
さらに、ＯＥＯ部１１０-1〜１１０-Nに対する外部クロック信号の供給に供される線路の敷設については、煩雑な配線（束線を含む。）作業を伴うために、コストの削減だけではなく、これらのＯＥＯ部１１０-1〜１１０-Nの多様な配置に対する柔軟な適応が強く要求されていた。
【００２１】
また、波長多重信号に多重化されるべき光信号の数（以下、「多重度」という。）は既述の技術の進歩と共に急速に増加し、そのために、上述した線路の長さも増加しつつある。
したがって、これらの線路から放射される電磁妨害雑音（ＥＭＩ）のレベルも増加し、かつＯＥＯ部１１０-1〜１１０-Nに個別に供給される外部クロック信号の波形に大きな偏差を伴う可能性が高かった。
【００２２】
さらに、上述した第二の従来例では、ＯＥＯ部１１０-1〜１１０-Nと監視制御部２００-1〜２００-nとの間に形成される通信リンク（以下、「特定の通信リンク」という。）と、これらの監視制御部２００-1〜２００-nとＭＣ部２０１との間に形成される通信リンク（以下、「併合通信リンク」という。）と、波長多重化部１１２とＭＣ部２０１との間に形成される通信リンク（以下、「共用通信リンク」という。）とは、何れも電気的な全二重方式の伝送路として形成される。
【００２３】
したがって、このような通信リンクから放射される電磁妨害雑音（ＥＭＩ）は、これらの通信リンクの本数が大きいほど増加し、かつ既述の外部クロック信号の波形が劣化する要因となり、あるいは外部の機器や伝送系に外乱として作用する可能性があった。
また、上述した特定の通信リンクと併合通信リンクとは、ＯＥＯ部１１０-1〜１１０-Nが増設され得るにもかかわらず共用通信リンクに比べて大幅に多く、これらのＯＥＯ部１１０-1〜１１０-Nと監視制御部２００-1〜２００-nとの間と、これらの監視制御部２００-1〜２００-nとＭＣ部２０１との間にメッシュ状に形成される。
【００２４】
したがって、これらの特定の通信リンクと併合通信リンクとの敷設についても、複雑な配線（束線を含む。）作業を伴うために、上述したＯＥＯ部１１０-1〜１１０-Nに対する外部クロック信号の供給に供される線路の敷設と同様に、コストの削減に併せて、これらのＯＥＯ部１１０-1〜１１０-Nの多様な配置に対する柔軟な適応が強く要求されていた。
【００２５】
本発明は、局舎内における機器の配置、置局条件および保守・運用にかかわる要求に柔軟に、かつ安価に適応し、かつ伝送品質を高く維持できる波長多重化装置および信号変換装置を提供することを目的とする。
【００２６】
【課題を解決するための手段】
図１は、本発明にかかわる第一の波長多重化装置の原理ブロック図である。
第1の技術では、多重化手段１２は、複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う。基準信号受信手段１３は、複数の信号変換装置１０-1〜１０-Nの内、特定の信号変換装置によって出力され、これらの信号変換装置１０-1〜１０-Nの全てまたは一部において同期の基準となる基準信号で変調された基準光信号を受信する。基準信号分配手段１４は、複数の信号変換装置１０-1〜１０-Nの全てあるいは一部に、その基準光信号を分配する。
【００２７】
すなわち、信号変換装置１０-1〜１０-Nに対する基準光信号の分配は、上述した特定の信号変換装置から基準信号受信手段１３に至る往路と、基準信号分配手段１４から個々の信号変換装置に至るスター状の往路とを介して行われる。
したがって、信号変換装置の間においてこのような基準光信号が直接引き渡されるために必要であった光伝送路の構成が簡略化され、かつ構成の標準化が図られる。
【００２８】
第２の技術では、多重化手段１２は、複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う。基準信号生成手段１５は、信号変換装置１０-1〜１０-Nにおいて同期の基準となる基準信号で変調された基準光信号を生成する。基準信号分配手段１４Ｂは、複数の信号変換装置１０-1〜１０-Nの全てまたは一部に、基準信号生成手段１５によって生成された基準光信号を分配する。
【００２９】
すなわち、信号変換装置１０-1〜１０-Nに対する基準光信号の分配は、これらの信号変換装置１０-1〜１０-Nの何れによってもその基準光信号が与えられない場合であっても、基準信号分配手段１４から個々の信号変換装置に至るスター状の往路を介して行われる。
したがって、信号変換装置の間においてこのような基準光信号が直接引き渡されるために必要であった光伝送路の構成が簡略化され、かつ構成の標準化が図られる。
【００３０】
図２は、本発明にかかわる第二の波長多重化装置の原理ブロック図である。
第３の技術では、多重化手段１２に備えられた光増幅器は、光多重伝送路１１を介して伝送される波長多重信号と、その波長多重信号から逆多重化された光信号の全てもしくは一部の光増幅を行う。基準信号分配手段１４は、その光増幅に供される励起光を基準信号受信手段１３によって受信された基準光信号で変調することによって、その基準光信号を分配する。
【００３１】
すなわち、基準光信号は、その基準光信号の分配先となるべき信号変換装置との間に個別に形成され、かつその信号変換装置に対する上述した光信号の伝送に供される既設の光伝送路を介して並行して分配される。
したがって、上述した光増幅器が既存であり、かつ個々の信号変換装置がこのような基準光信号を再生できる限り、ハードウエアの規模が大幅に増加することなく、既設の光伝送路の共用が図られる。
【００３２】
第４の技術では、多重化手段１２に備えられた光増幅器は、光多重伝送路１１を介して伝送される波長多重信号と、その波長多重信号から逆多重化された光信号の全てもしくは一部の光増幅を行う。基準信号分配手段１４Ｂは、基準信号生成手段１５によって生成された基準光信号でその光増幅に供される励起光を基準信号生成手段１５によって生成された基準光信号で変調することによって、その基準光信号を分配する。
【００３３】
すなわち、基準光信号は、その基準光信号の分配先となるべき信号変換装置との間に個別に形成され、かつその信号変換装置に対する上述した光信号の伝送に供される既設の光伝送路を介して並行して分配される。
したがって、上述した光増幅器が既存であり、かつ個々の信号変換装置がこのような基準光信号を再生できる限り、ハードウエアの規模が大幅に増加することなく、既設の光伝送路の共用が図られる。
【００３４】
図３は、本発明にかかわる第一の信号変換装置の原理ブロック図である。
第５の技術では、変換手段２２は、伝送路２０を介して伝送される信号と、光多重伝送路２１を介して伝送される多重信号に波長多重化された光信号、もしくは波長多重化されるべき光信号との間における双方向または一方向の変換を行う。基準信号受信手段２４は、上述した光信号と多重信号との間における多重化と逆多重化との双方もしくは何れか一方を行う波長多重化装置２３によって与えられ、かつ伝送路２０との同期の基準となる基準信号で変調された基準光信号を受信する。変換手段２２は、基準信号受信手段２４によって受信された基準光信号に基づいて同期をとる。
【００３５】
このような基準光信号は、上述した波長多重化装置２３によって生成され、あるいはその波長多重化装置２３を介して他の信号変換装置から分配される。
したがって、その同期の基準が自立的に得られない場合であっても、置局条件や系構成に柔軟に適応し、かつ上述した同期の確立が達成される。
図４は、本発明にかかわる第二の信号変換装置の原理ブロック図である。
【００３６】
第６の技術では、変換手段２２は、伝送路２０を介して伝送される信号と、光多重伝送路２１を介して伝送される多重信号に波長多重化された光信号、もしくは波長多重化されるべき光信号との間における双方向または一方向の変換を行う。基準信号送出手段２５は、上述した光信号と多重信号との間における多重化と逆多重化との双方もしくは何れか一方を行う波長多重化装置２３に、伝送路２０との同期の基準となる基準信号で変調された基準光信号を送出する。
【００３７】
このような基準光信号は、上述した波長多重化装置２３を介してその基準光信号が分配された他の信号変換装置で個別に行われるべき同期の基準となる。
したがって、本発明にかかわる信号変換装置は、置局条件や系構成の下で上述した他の信号変換装置との同期をとることができる。
第７の技術では、基準光信号の波長は、光信号の波長と異なる。基準信号送出手段２５は、この光信号に波長多重化された特定の光信号として基準光信号を波長多重化装置２３に送出する。
【００３８】
このような基準光信号は、上述した特定の光信号に波長多重化可能である限り、変調方式に何ら制約が伴うことなく、波長多重化装置２３との間に形成された既設の光伝送路を介してその波長多重化装置２３に確実に引き渡される。
したがって、コストが増加することなく、かつ信頼性が低下することなく、総合的な信頼性が高く維持される。
【００３９】
図５は、本発明にかかわる第三の波長多重化装置の原理ブロック図である  第８の技術では、多重化手段１２は、複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う。付加変調手段１７Ｂは、これらの信号変換装置１０-1〜１０-Nの保守と運用との双方もしくは何れか一方にかかわる情報に応じて、上述した波長多重信号に波長多重化された光信号の何れの波長とも波長が異なる特定の光信号を変調する。多重化装置１２は、付加変調手段１７Ｂによって変調された特定の光信号を前記信号変換装置１０-1〜１０-Nに分配する。
【００４０】
すなわち、上述した情報は、信号変換装置１０-1〜１０-Nに個別に分配されるべき何れの光信号とも波長が異なる特定の光信号によって形成されるチャネルを介して、これらの信号変換装置１０-1〜１０-Nに並行して配信される。
したがって、信号変換装置１０-1〜１０-Nにおいて個別に分配された光信号と特定の光信号とが波長領域で確実に分離される限り、既存のチャネルの伝送品質が高く維持される。
【００４１】
第９の技術では、変換手段２２は、伝送路２０を介して伝送される信号と、光多重伝送路２１を介して伝送される波長多重信号に波長多重化された光信号、もしくは波長多重化されるべき光信号との間における双方向または一方向の変換を行う。付加変調手段２７は、保守と運用との双方もしくは何れか一方にかかわる情報に応じて、前記波長多重信号に波長多重化されるべき光信号を変調する。
【００４２】
このような情報は、上述した光多重伝送路２１に適合した波長多重化と分離とを行う波長多重化装置との間に個別に形成された光伝送路を介してその波長多重化装置に伝送される。
したがって、本発明にかかわる複数の信号変換装置とこれらの信号変換装置によってそれぞれ送出される情報の宛先となるべき端末等の装置との間に、これらの情報の伝送に供される伝送路が個別に敷設されていた従来例に比べて、布線の簡略化と総延長の短縮とが大幅に図られる。
【００４３】
第1の技術の第一の下位概念の発明では、特定の信号変換装置は、その特定の信号変換装置によって送信される光信号に基準光信号を波長多重化する。基準信号受信手段１３は、波長領域で上述した光信号からこの基準光信号を分離あるいは抽出することによって、その基準光信号を受信する。
【００４４】
すなわち、基準光信号は、特定の信号変換装置と基準信号受信手段１３（本発明にかかわる波長多重化装置）との間に既設の光伝送路の共用の下で確実にその基準信号受信手段１３に引き渡される。
したがって、コストの削減に併せて構成の簡略化が図られる。
第1の技術の第二の下位概念の発明では、基準信号受信手段１３は、複数の信号変換装置１０-1〜１０-Nの内、複数の特定の信号変換装置によって個別に与えられる基準光信号を受信する。基準信号分配手段１４、１４Ａは、これらの基準光信号の内、何れかの基準光信号を分配する。
【００４５】
すなわち、所望の信号変換装置や光多重伝送路１１を介して接続されたノードに分配されるべき基準光信号の信号源の冗長化が図られ、これらの信号源の置局条件や系構成に整合した信号源の選択が可能となる。
したがって、多様な構成に対する柔軟な適応が可能となる。
第1の技術の第三の下位概念の発明では、基準信号受信手段１３は、複数の特定の信号変換装置によって個別に与えられ、かつ信号変換装置１０-1〜１０-Nと光多重伝送路１１との全てまたは一部に予め対応付けられた基準光信号を受信する。基準信号分配手段１４、１４Ａは、このようにして受信された個々の基準光信号をその基準光信号に対応する信号変換装置または光多重伝送路１１に分配する。
【００４６】
すなわち、本発明にかかわる信号変換装置は、上述した基準光信号を生成する手段を備えない場合であっても、置局条件や系構成の下で規定の他の信号変換装置との同期をとることができる。
第５の技術の下位概念の発明では、基準光信号は、波長多重化装置２３によって多重信号から分離された特定の光信号にその波長多重化装置２３によって波長多重化される。基準信号受信手段２４は、この基準光信号を波長領域で分離あるいは抽出することによって受信する。
【００４７】
このような基準光信号は、上述した特定の光信号に波長多重化可能である限り、変調方式に何ら制約が伴うことなく、波長多重化装置２３との間に形成された既設の光伝送路を介して引き渡される。
したがって、コストが増加することなく、かつ信頼性が低下することなく、総合的な信頼性が高く維持される。
【００４８】
第５の技術に関連した発明では、基準光信号は、光多重伝送路２１を含む光伝送系の保守もしくは運用にかかわる情報の伝送に供される特定のチャネルを介して与えられる。
このようなチャネルは、光多重伝送路２１を介して接続されたノードや信号変換装置１０-1〜１０-Nと本発明にかかわる波長多重化装置との間に形成された既設のチャネルである。
【００４９】
したがって、上述した基準光信号は余剰の伝送帯域が占有されることなく伝送され、あるいは分配され、かつ伝送品質が低下することなく、増設や新たなサービスに対する適応の柔軟性が担保される。
第６の技術および第７の技術に関連した第一の発明では、変換手段２２は、波長多重化装置２３に送出される光信号の光増幅を行う光増幅器を有する。基準信号送出手段２５は、この光増幅に供される励起光を基準光信号で変調することによってその基準光信号を送出する。
【００５０】
このような基準光信号は、波長多重化装置２３との間に個別に形成され、この波長多重化装置２３に対する上述した光信号の伝送に供される既設の光伝送路を介して並行して分配される。
したがって、上述した光増幅器が既存であり、かつ波長多重化装置２３がこのような基準光信号を再生できる限り、ハードウエアの規模が大幅に増加することなく、既設の光伝送路の共用が達成される。
【００５１】
第６の技術および第７の技術に関連した第二の発明では、基準光信号は、光多重伝送路２１を含む光伝送系の保守もしくは運用にかかわる情報の伝送に供される特定のチャネルを介して与えられる。
このようなチャネルは、光多重伝送路２１を介して接続されたノードや波長多重化装置２３と本発明にかかわる信号変換装置との間に形成された既設のチャネルである。
【００５２】
したがって、上述した基準光信号は余剰の伝送帯域が占有されることなく伝送され、あるいは分配され、かつ伝送品質が低下することなく、増設や新たなサービスに対する適応の柔軟性が担保される。
第６の技術に関連した第一の発明では、多重化手段１２は、複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う。付加変調手段１７Ａは、これらの信号変換装置１０-1〜１０-Nの保守と運用との双方もしくは何れか一方にかかわる情報に応じて、多重化手段１２によって行われるべき逆多重化の対象となる波長多重信号を変調する。
【００５３】
すなわち、上述した情報は、信号変換装置１０-1〜１０-Nとの間に形成された光伝送路を介してこれらの信号変換装置１０-1〜１０-Nに並行して配信される。
したがって、このような情報の情報源と信号変換装置１０-1〜１０-Nとの間にその情報の配信に供される伝送路が個別に敷設されていた従来例に比べて、布線の簡略化と総延長の短縮とが大幅に図られる。
【００５４】
第６の技術に関連した第二の発明では、付加変調手段１７Ａは、保守と運用との双方もしくは何れか一方にかかわる情報に応じて波長多重信号の増幅に供される励起光の輝度を変調することによって、その波長多重信号を変調する。
このような波長多重信号の変調は、上述した励起光の光源の駆動に供される電力、もしくはその励起光が伝搬する光伝送路の光学的な利得（損失）が可変されることによって達成される。
【００５５】
したがって、上述した変調を実現する専用のハードウエアが備えられる場合に比べて、構成が簡略化され、かつ消費電力の節減が図られる。
第８の技術に関連した第一の発明では、多重化手段１２は、複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う。付加変調手段１７Ｃは、これらの信号変換装置１０-1〜１０-Nの内、一部の信号変換装置の保守と運用との双方もしくは何れか一方にかかわる個々の情報に応じて、上述した波長多重信号に波長多重化された光信号の何れの波長とも波長が異なる特定の光信号を変調する。多重化装置１２は、付加変調手段１７Ｃによって変調された特定の光信号を上述した一部の信号変換装置に分配する。
【００５６】
すなわち、信号変換装置１０-1〜１０-Nの内、何れかの複数の信号変換装置の保守と運用との双方もしくは何れか一方にかかわる情報は、上述した特定の光信号によって形成される共通のチャネルを介して並行して配信される。
したがって、信号変換装置１０-1〜１０-Nの数Ｎが大きく、あるいはその数が広範に増減し得る場合であっても、上述した情報の配信に供される波長の数およびハードウエアの規模の削減が可能となる。
【００５７】
第８の技術に関連した第二の発明では、多重化手段１２は、複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う。付加変調手段１７Ｄは、これらの信号変換装置１０-1〜１０-Nの個々の保守と運用との双方もしくは何れか一方にかかわる情報に応じて、上述した波長多重信号に波長多重化された光信号の何れの波長とも波長が異なるＮ波の特定の光信号を個別に変調する。多重化装置１２は、付加変調手段１７Ｄによって変調されたＮ波の特定の光信号を信号変換装置１０-1〜１０-Nに個別に分配する。
【００５８】
すなわち、信号変換装置１０-1〜１０-Nにそれぞれ伝達されるべき情報は、波長多重化伝送方式に基づいてこれらの信号変換装置１０-1〜１０-Nとの間に並行して個別に形成されたチャネルを介して伝送される。
したがって、このような情報は、複雑な多元接続方式やランダムアクセス制御方式が介在することなく、宛先となるべき信号変換装置１０-1〜１０-Nの如何にかかわらず無手順で伝送され得る。
【００５９】
図６は、本発明にかかわる第四の波長多重化装置の原理ブロック図である。
第８の技術に関連した第三の発明では、多重化手段１２は、複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う。増幅手段１８は、これらの信号変換装置１０-1〜１０-Nの保守と運用との双方もしくは何れか一方にかかわる情報に応じて変調された励起光に応じて、上述した多重化手段１２によって行われるべき逆多重化の対象となる波長多重信号を増幅する。
【００６０】
すなわち、信号変換装置１０-1〜１０-Nに対する上述した情報の配信は、本発明にかかわる波長多重化装置においてその処理にかかわる処理が電気的に何ら行われることなく達成される。
したがって、このように電気的に行われる処理に起因する電磁妨害雑音の放射は、確度高く回避され、あるいは規制される。
【００６１】
図７は、本発明にかかわる第五の波長多重化装置の原理ブロック図である。
第８の技術に関連した第四の発明では、多重化手段１２は、複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う。光インタフェース手段１９は、これらの信号変換装置１０-1〜１０-Nの保守と運用との双方もしくは何れか一方にかかわる情報に応じて変調され、かつ波長が上述した波長多重信号に波長多重化された光信号の何れの波長とも異なる特定の光信号を多重化手段１２に与える。多重化手段１２は、その特定の光信号をこれらの信号変換装置１０-1〜１０-Nの何れかに波長分割多重伝送方式に基づいて分配する。
【００６２】
すなわち、信号変換装置１０-1〜１０-Nに対する上述した情報の配信は、本発明にかかわる波長多重化装置においてその配信にかかわる処理が電気的に何ら行われることなく、かつ波長多重信号に波長多重化された個々の光信号で形成される何れのチャネルとも異なるチャネルを介して達成される。
したがって、このような電気的に行われる処理に起因する電磁妨害雑音の放射は、確度高く回避され、あるいは規制される。
【００６３】
図８は、本発明にかかわる第六の波長多重化装置の原理ブロック図である。
第８の技術に関連した第五の発明では、多重化手段１２ａは、複数の信号変換装置１０-1〜１０-Nによって個別に送信もしくは受信され、かつ波長が異なると共に、これらの信号変換装置１０-1〜１０-Nの保守の運用との双方もしくは何れか一方にかかわる情報で変調された光信号と、光多重伝送路１１を介して伝送される波長多重信号との間における多重化と逆多重化との双方または何れか一方を行う。保守運用支援手段２６ａは、多重化手段１２ａによって行われた多重化の過程で生成された波長多重信号を復調することによって、上述した保守と運用との双方もしくは何れか一方にかかわる情報を復元し、その情報をこれらの保守もしくは運用に供される端末に引き渡す。
【００６４】
すなわち、信号変換装置１０-1〜１０-Nが送信元あるいは宛先に該当する上述した情報は、本発明にかかわる波長多重化装置において電気的な処理が何ら行われることなく、かつ波長多重信号に波長多重化された個々の光信号で形成される何れのチャネルとも異なるチャネルを介して端末に伝達される。
したがって、このように電気的に行われる処理に起因する電磁妨害雑音の放射は、確度高く回避され、あるいは規制され、かつ伝送品質および信頼性が高く維持される。
【００６５】
第８の技術に関連した第六の発明では、多重化手段１２ｂは、複数の信号変換装置１０-1〜１０-Nによって個別に送信もしくは受信され、かつ波長が異なる光信号、ならびにこれらの信号変換装置１０-1〜１０-Nの全てあるいは一部によって個別に送信され、かつ保守と運用との双方または何れか一方にかかわる情報で変調された特定の光信号と、光多重伝送路１１を介して伝送される波長多重信号との間における多重化と逆多重化との双方または何れか一方を行う。保守運用支援手段２６ｂは、多重化手段１２によって行われた多重化の過程で生成された波長多重信号を復調することによって、上述した保守と運用との双方もしくは何れか一方にかかわる情報を復元し、その情報をこれらの保守もしくは運用に供される端末に引き渡す。
【００６６】
すなわち、信号変換装置１０-1〜１０-Nが送信元あるいは宛先に該当する上述した情報は、本発明にかかわる波長多重化装置において電気的な処理が何ら行われることなく、かつ波長多重信号に波長多重化された個々の光信号で形成される何れのチャネルとも異なるチャネルを介して端末に伝達される。
したがって、このように電気的に行われる処理に起因する電磁妨害雑音の放射は、確度高く回避され、あるいは規制され、かつ伝送品質および信頼性が高く維持される。
【００６７】
図９は、本発明にかかわる第三の信号変換装置の原理ブロック図である。
第９の技術の下位概念の発明では、付加変調手段２７は、保守と運用との双方もしくは何れか一方にかかわる情報に応じて、波長多重信号に波長多重化されるべき光信号の増幅に供される励起光の輝度を変調することによって、その光信号を変調する。
【００６８】
このような変調は、上述した励起光の光源の駆動に供される電力、もしくはその励起光が伝搬する光伝送路の光学的な利得（損失）が可変されることによって達成される。
したがって、上述した変調を実現する専用のハードウエアが備えられる場合に比べて、構成が簡略化され、かつ消費電力の節減が図られる。
【００６９】
第９の技術に関連した第一の発明では、変換手段２２は、伝送路２０を介して伝送される信号と、光多重伝送路２１を介して伝送される波長多重信号に波長多重化された光信号、もしくは波長多重化されるべき光信号との間における双方向または一方向の変換を行う。付加変調手段２７Ａは、保守と運用との双方もしくは何れか一方にかかわる情報に応じて、上述した波長多重信号に波長多重化された光信号の何れの波長とも波長が異なる特定の光信号を変調する。変換手段２２は、光多重伝送路２１を介して伝送される波長多重信号の多重化と逆多重化との双方もしくは何れか一方を行う波長多重化装置２９に、波長多重信号に波長多重化されるべき光信号と付加変調手段２７Ａによって変調された特定の光信号とを波長分割多重伝送方式に基づいて分配する。
【００７０】
すなわち、上述した情報は、波長多重化装置２９によって波長多重化され、かつ光多重伝送路を介して隣接するノードに伝送されるべき何れの光信号とも波長が異なる特定の光信号によって形成されるチャネルを介して、その波長多重化装置２９、もしくは保守や運用に供されるべき端末に伝達される。
したがって、このような特定の光信号以外の光信号によって形成される既存のチャネルの伝送品質が高く維持される。
【００７１】
図１０は、本発明にかかわる第四の信号変換装置の原理ブロック図である。
第９の技術に関連した第二の発明では、変換手段２２ａは、伝送路２０を介して伝送される信号と、光多重伝送路２１を介して伝送される波長多重信号から逆多重化され、かつ保守と運用との双方もしくは何れか一方にかかわる情報で変調された光信号、もしくはその波長多重信号に波長多重化されるべき光信号との間における双方向または一方向の変換を行う。保守運用支援手段２９ａは、変換手段２２ａによって行われた変換の過程で生成され、かつ保守と運用との双方もしくは何れか一方にかかわる情報で変調された光信号を復調することによってその情報を復元し、この情報をこれらの保守と運用に供される端末に引き渡す。
【００７２】
すなわち、本発明にかかわる信号変換装置の保守や運用にかかわる情報は、その信号変換装置に接続された端末によって行われるべき所定の処理の演算対象となる。
したがって、ノードの構成および保守や運用の形態の多様な形態に対する柔軟な適応が可能となる。
【００７３】
第９の技術に関連した第三の発明では、変換手段２２ｂは、伝送路２０を介して伝送される信号と、光多重伝送路２１を介して伝送される波長多重信号から逆多重化された光信号および保守と運用との双方もしくは何れか一方にかかわる情報で変調された特定の光信号、もしくはその波長多重信号に波長多重化されるべき光信号との間における双方向または一方向の変換を行う。保守運用支援手段２９ｂは、変換手段２２ｂによって行われた変換の過程で生成され、かつ保守と運用との双方もしくは何れか一方にかかわる情報で変調された光信号を復調することによってその情報を復元し、この情報をこれらの保守と運用に供される端末に引き渡す。
【００７４】
すなわち、本発明にかかわる信号変換装置の保守や運用にかかわる情報は、その信号変換装置に接続された端末によって行われるべき所定の処理の演算対象となる。
したがって、ノードの構成および保守や運用の形態の多様な形態に対する柔軟な適応が可能となる。
【００７５】
【発明の実施の形態】
以下、図面に基づいて本発明の実施形態について詳細に説明する。
図１１は、本発明の第一の実施形態を示す図である。
図において、図３４に示す従来例との構成の主な相違点は、ＯＥＯ変換部１１０-1〜１１０-Nに代えてＯＥＯ変換部３０-1〜３０-Nが備えられ、かつ波長多重化部１１２に代えて波長多重化部３１が備えられ、外部クロック信号がＯＥＯ変換部３０-1のみに与えられる点にある。
【００７６】
ＯＥＯ変換部３０-1とＯＥＯ変換部１１０-1との構成の相違点は、下記の要素が付加された点にある。
・一方の入力に波長変換部１２６ｕ-1の出力が接続され、かつ出力が波長多重化部３１の対応する多重化入力に接続された光カプラ３２-1
・入力にクロック選択部１３０-1の出力が接続され、出力が光カプラ３２-1の他方の入力に接続されたＥＯ変換部３３-1
・入力に波長多重化部３１-1の対応する逆多重化出力が接続され、かつＯＥ変換部１２４ｄ-1の入力に一方の出力が接続された光フィルタ３４-1
・入力が光フィルタ３４-1の他方の出力に接続され、かつ出力がクロック選択部１３０-1の対応する入力に接続されたＯＥ変換部３５-1
なお、ＯＥＯ部３０-2〜３０-Nの構成については、ＯＥＯ部３０-1の構成と同じであるので、以下では、対応する構成要素に添え番号「２」〜「Ｎ」が付加された同じ符号を付与し、ここでは、その説明を省略する。
【００７７】
波長多重化部３１と波長多重化部１１２との構成の主な相違点は、下記の点にある。
・  波長多重化部３１の第１ないし第Ｎの多重化入力に個別に入力が接続され、かつ一方の出力が光カプラ１３１ｕの対応する入力に個別に接続された光フィルタ３６-1〜３６-Nが備えられる。
【００７８】
・一方の入力が光フィルタ１３１ｄの第１ないし第Ｎの出力にそれぞれ接続され、かつ出力が波長多重化部３１の第１ないし第Ｎの逆多重化出力に個別に接続された光カプラ３７-1〜３７-Nが備えられる。
・光カプラ３７-2〜３７-Nの他方の入力に光フィルタ３６-1〜３６-(N-1)の他方の入力がそれぞれ接続される。
【００７９】
以下、本実施形態の動作を説明する。
以下では、ＯＥＯ部３０-1〜３０-Nに共通の事項については、添え番号「１」〜「Ｎ」の何れにも該当し得ることを意味する添え番号「ｃ」を用いて記述する。
ＯＥＯ部３０-cでは、波長変換部１２６ｕ-cによって生成された光信号は、光カプラ３２-cを介して波長多重化部３１に送出される。
【００８０】
なお、ＯＥ変換部１２４ｕ-c、同期部１２５ｕ-c、波長変換部１２６ｕ-cおよびクロック抽出部１２９ｕ-cの動作については、従来例と同じであるので、以下では、その説明を省略する。
波長多重化部３１では、光フィルタ３６-cは、上述した上り光信号を波長域で抽出し、かつ光カプラ１３１ｕに与える。
【００８１】
なお、光カプラ１３１ｕおよび送信増幅器１３２ｕの動作については、従来例と同様であるので、以下では、その説明を省略する。
また、ＯＥＯ部３０-1では、クロック選択部１３０は、例えば、クロック受信部１２７-1を介して与えられた外部クロック信号を選択する。
ＥＯ変換部３３-1は、このようにして選択されたクロック信号を既述の上り光信号および下り光信号の何れとも波長が異なる光信号（以下、「光クロック信号」という。）に変換する。
【００８２】
光カプラ３２-1は、上述した上り光信号と光クロック信号とを波長多重化することによって上り光多重信号を生成し、その上り光多重信号を波長多重化部３１に送出する。
波長多重化部３１では、光フィルタ３６-1は、この上り光多重信号に多重化された上り光信号と光クロック信号とを波長域で分離（逆多重化）する。
【００８３】
光カプラ３７-2は、光フィルタ１３１ｄによって出力された下り光信号と、上述したように光フィルタ３６-1によって分離された光クロック信号とを波長多重化することによって下り光多重信号を生成し、その下り光多重信号をＯＥＯ部３０-2宛に送出する。
なお、受信増幅器１３２ｄおよび光フィルタ１３１ｄの動作については、従来例と同じであるので、以下では、その説明を省略する。
【００８４】
ＯＥＯ部３０-2では、光フィルタ３４-2は、この下り光多重信号に多重化された下り光信号と光クロック信号とを波長域で分離し、それぞれＯＥ変換部１２４ｄ-2、３５-2に与える。
なお、ＯＥ変換部１２４ｄ-c、同期部１２５ｄ-c、波長変換部１２６ｄ-cおよびクロック抽出部１２９ｄ-cの動作については、従来例と同じであるので、以下では、その説明を省略する。
【００８５】
ＯＥ変換部３５-2は、上述した光クロック信号を光−電気変換することによって「再生クロック信号」を生成する。
クロック選択部１３０-2は、例えば、保守や運用の形態に基づいて予め与えられた設定に基づいてこの再生クロック信号を既述の基準クロックとして同期部１２５ｕ-2、１２５ｄ-2に与える。
【００８６】
さらに、ＥＯ変換部３３-2は、この基準クロックを既述の上り光信号および下り光信号の何れとも波長が異なる光クロック信号に変換する。
光カプラ３２-2は、上述した上り光信号と光クロック信号とを波長多重化することによって上り光多重信号を生成し、その上り光多重信号を波長多重化部３１に送出する。
【００８７】
波長多重化部３１では、「３」ないし「Ｎ」の何れの値にも該当し得る添え番号ｋで示される光フィルタ３６-(k-1)および光カプラ３７-kは、既述の光フィルタ３６-1および光カプラ３７-2と同様に連係することによって、この上り光多重信号に含まれる光クロック信号を順次ＯＥＯ部３０-kに分配する。
すなわち、ＯＥＯ部３０-1の内部で選択された基準クロックは、ＯＥＯ部３０-1〜３０-Nと光多重化部３１との間に形成された既設の光伝送路を介してＯＥＯ部３０-2〜３０-Nに順次分配される。
【００８８】
したがって、ＯＥＯ部３０-1〜３０-Nの数Ｎ、これらのＯＥＯ部３０-1〜３０-Nと光多重化部３１との配置、既述の光伝送路１１１-1〜１１１-Nの属性（グループ等）および光多重伝送路１１３を介して伝送されるべき波長多重信号の多重度（波長の数）の如何にかかわらず、基準クロックの分配に必要な線路等の構成の簡略化と標準化とに併せて、電磁妨害雑音のレベルの低減が図られ、かつコストおよび信頼性が高められる。
【００８９】
なお、本実施形態では、ＯＥＯ部３０-2〜３０-(N-1)に備えられたＥＯ変換部３３-2〜３３-(N-1)は、それぞれＯＥＯ部３０-1〜３０-(N-2)から光多重化部３１を介して与えられたクロック信号をＯＥＯ部３０-3〜３０-N宛に光クロック信号として分配している。
しかし、本発明はこのような構成に限定されず、例えば、図１２に示すように、下記の光カプラ３８-cと光スイッチ３９-cとが備えられ、かつ「ＯＥＯ部３０-(c-1)から光多重化部３１を介して分配された光クロック信号」に代えて、クロック選択部１３０-cが与える基準クロックに応じてＥＯ変換部３３-cによって生成された光クロック信号がその光スイッチ３９-cを介して光カプラ３２-cに与えられことによって、所望の複数のグループに対する柔軟な適応が図られてもよい。
【００９０】
・光フィルタ３４-cとＯＥ変換部１２４ｄ-cとの段間に光学的な分岐路を形成する光カプラ３８-c
・  ＯＥ変換部３３-cと光カプラ３２-cとの段間に配置され、そのＥＯ変換部３３-cもしくは光カプラ３８-cの出力と光カプラ３２-cとの間に手動で切り替えが可能な光学的なパスを形成する光スイッチ３９-c
また、本実施形態では、クロック選択部１３０-cによって選択された基準クロックは、ＥＯ変換部３３-cによって電気−光変換され、かつ光カプラ３２-cによって上り光信号に波長多重化されて波長多重化部３１に送出されている。
【００９１】
しかし、本発明はこのような構成に限定されず、例えば、図１３に示す下記の構成が適用されることによって、上り光信号が基準クロックに応じて輝度変調されてもよい。なお、このように輝度変調された上り光信号から基準クロックを抽出するために分波器３６-cに代えて波長多重化部３１に備えられるべき要素については、公知の多様な技術が適用されることによって実現可能であるので、ここではその説明を省略する。
【００９２】
・ＥＯ変換部３３-cおよび光カプラ３２-cが備えられない。
・波長変換部１２６ｕ-cに備えられた光増幅器に励起光を供給する発光ダイオードの動作点が基準クロックに応じて微少に可変される。
さらに、上述した基準クロックまたは光クロック信号は、例えば、ＯＥＯ部３０-1〜３０-Nの内、図１４に示すように、波長多重化部３１との間に保守・運用に供される専用のリンク((ＯＳＣ:Optical Supervisory Channel)であってもよい。）が敷設されている特定のＯＥＯ部では、上り光信号に多重化されることなく、そのリンクの両端（特定のＯＥＯ部と波長多重化部３１と）にそれぞれ配置された端局部を介して引き渡されてもよい。
【００９３】
また、本実施形態では、ＯＥＯ部３０-1に外部から与えられ、かつクロック受信部１２７-1およびクロック選択部１３０-1を介して得られた外部クロック信号が基準クロックとしてＯＥＯ部３０-2〜３０-Nに順次分配されている。
しかし、このような基準クロックは、例えば、クロック生成部１２８-1によって生成されたクロック信号、またはクロック抽出部１２９ｕ-1、１２９ｄ-1の何れか一方によって抽出されたクロック信号であってもよい。
【００９４】
図１５は、本発明の第二の実施形態を示す図である。
本実施形態と図１１に示す実施形態との主な構成の相違点は、ＯＥＯ部３０-1に代えてＯＥＯ部６０-1が備えられ、波長多重化部３１に代えて波長多重化部６１が備えられた点にある。
ＯＥＯ部３０-1とＯＥＯ部６０-1との構成の相違点は、下記の点にある。
【００９５】
・光カプラ３２-1およびＥＯ変換部３３-1が備えられない。
・波長変換部１２６ｕ-1の出力が波長多重化部６１の対応する入力に直接接続される。
・波長変換部１２６ｕ-1に光増幅器６２-1が備えられる。
・この光増幅器６２-1に励起光を供給する発光ダイオード６３-1のバイアス回路にクロック選択部１３０-1の出力が直結される。
【００９６】
・光フィルタ３４-1に代えて光カプラ３４Ａ-1が備えられる。
・ＯＥ変換部３５-1に代えてクロック再生部６５-1が備えられる。
波長多重化部３１と波長多重化部６１との構成の相違点は、下記の点にある。
・光カプラ３７-1〜３７-Nが備えられない。
・光フィルタ１３１ｄの第１ない第Ｎの出力がＯＥＯ部６０-1〜６０-Nの対応する入力に直結される。
【００９７】
・光フィルタ３６-1〜３６-Nに代えてクロック抽出部６４-1〜６４-Nが備えられる。
・受信増幅器１３２ｄに励起光を供給する発光ダイオード６７のバイアス回路に、クロック抽出部６４-1〜６４-Nの内、何れかのクロック抽出部（ここでは、簡単のため、符号「６４-1」で示されると仮定する。）のクロック出力が接続される。
【００９８】
図１６は、本発明の第二の実施形態の動作タイムチャートである。
以下、図１５および図１６を参照して本実施形態の動作を説明する。
ＯＥＯ部６０-1では、発光ダイオード６３-1は、クロック選択部１３０-1によって与えられる基準クロック（図１６(1)）の瞬時置に応じて励起光の輝度を増減する。
【００９９】
したがって、波長変換部１２６ｕ-1によって出力され、かつ波長多重化部６１に与えられる上り光信号（図１６(2)）は、上述した基準クロックで輝度変調される（図１６(3)）。
波長多重化部６１では、クロック抽出部６４-1は、この上り光信号を光カプラ１３１ｕに与えつつ復調することによって基準クロックを再生する（図１６(4)）。
【０１００】
発光ダイオード６７は、このようにして再生された基準クロックの瞬時置に応じて受信増幅器１３２ｄに与えられるべき励起光の輝度を増減する。
したがって、受信増幅器１３２ｄは、光多重伝送路１１３の下りのリンクを介して与えられ、かつ波長多重化された個々の下り光信号をこの基準クロックで並行して輝度変調する。
【０１０１】
すなわち、光カプラ１３１ｄを介してＯＥＯ部６０-1〜６０-Nに並行して与えられる下り光信号は、波長多重化部６１において上述した基準クロックで一斉に輝度変調される。
ＯＥＯ部６０-2〜６０-Nでは、光カプラ３４Ａ-2〜３４Ａ-Nは、波長多重化部６１から与えられた下り光信号をＯＥ変換部１２４ｄ-2〜１２４ｄ-Nとクロック再生部６５-2〜６５-Nとに並行してに与える。
【０１０２】
クロック再生部６５-2〜６５-Nは、この下り光信号を復調することによって基準クロックを再生し、その基準クロックをクロック選択部１３０-2〜１３０-Nに与える。
このように本実施形態では、基準クロックは、ハードウエアの構成が複雑化することなく、ＯＥＯ部６０-2〜６０-Nに一斉に分配される。
【０１０３】
したがって、ＯＥＯ部６０-1〜６０-Nは、これらのＯＥＯ部６０-1〜６０-Nの数Ｎの如何にかかわらず、精度よく、かつ安定に同期を維持することができる。
図１７は、本発明の第三の実施形態を示す図である。
本実施形態と図１５に示す実施形態との主な構成の相違点は、波長多重化部６１に代えて備えられた波長多重化部６１Ａの構成にある。
【０１０４】
波長多重化部６１Ａと波長多重化部６１との構成の主な相違点は、下記の点にある。
・クロック抽出部６４-1〜６４-Nの全てまたは一部（ここでは、簡単のため、全てであると仮定する。）のクロック端子にそれぞれ直結された入力を有する選択部６６が備えられる。
【０１０５】
・クロック抽出部６４-1のクロック出力に代えて選択部６６の出力が発光ダイオード６７のバイアス回路に接続される。
以下、本実施形態の動作を説明する。
本実施形態では、ＯＥＯ部６０-1だけではなく、ＯＥＯ部６０-2〜６０-3の全てが基準クロックで輝度変調された上り光信号を並行して波長多重化部６１Ａに与える。
【０１０６】
波長多重化部６１Ａでは、クロック抽出部６４-1〜６４-Nは、これらの上り光信号を復調することによって個別に基準クロックを再生する。
選択部６６は、これらの基準クロックの内、置局条件その他に整合した局情報と、冗長化されたＯＥＯ部６０-1〜６０-Nの系構成との双方もしくは何れか一方の下で一義的に定まる単一の基準クロックを選択し、その基準クロックを発光ダイオード６７のバイアス回路に与える。
【０１０７】
すなわち、ＯＥＯ部６０-1〜６０-Nに一斉に分配されるべき基準クロックの供給源は、上述した局情報や系構成に柔軟に適合した何れかのＯＥＯ部に設定される。
したがって、このような供給源が予め選定された単一のＯＥＯ部のみに限定される場合に比べて、保守や運用の形態に対する柔軟な適応が可能となり、サービス品質および信頼性が高く維持される。
【０１０８】
なお、本実施形態では、選択部６６によって選択された基準クロックがＯＥＯ部６０-1〜６０-Nの全てに一斉に分配されている。
しかし、本発明はこのような構成に限定されず、図１８に示す下記の構成が適用されることによって、例えば、既述のグループ等に個別に属する単一または複数のＯＥＯ部毎に個別の基準クロックが分配されてもよい。
【０１０９】
・選択部６６としてグループ毎に対応した単一または複数の選択部６６-1〜６６-Pが備えられる。
・光フィルタ１３１ｄの出力端または後段に個別に配置された光増幅器に励起光を供給する発光ダイオードが備えられる。
・これらの発光ダイオードの内、個々のグループに属する単一または複数の発光ダイオードに、選択部６６-1〜６６-Pの対応する出力が直結される。
【０１１０】
また、本実施形態では、選択部６６（６６-1〜６６-P）は電気信号として与えられる複数の基準クロックの何れかを選択している。
しかし、本発明はこのよう構成に限定されず、例えば、図１１に示す波長多重化部３１に本発明が適用される場合には、選択部６６に代えて、図１９に示すように、光フィルタ３６-1〜３６-Nの対応する出力に入力が直結され、かつ縦属接続された光カプラ６７-1〜６７-Nを介して光カプラ３７-1〜３７-Nの対応する入力に出力が接続された光スイッチ６８が備えられてもよい。
【０１１１】
さらに、本実施形態では、ＯＥＯ部６０-1〜６０-Nに分配されるべき基準クロックは、単一の選択部６６（光スイッチ６８）あるいは各グループに対応する複数の選択部６６-1〜６６-Pによって選択されている。
しかし、本発明はこのような構成に限定されず、例えば、同一のグループに属するＯＥＯ部の全てが符号「６０」に付加された添え番号ｎ(＝１〜Ｎ)の順に群として配置される場合には、図２０に示すように、その添え番号ｎの昇順に下記の光スイッチと光カプラとから構成される基本回路が縦続接続されることによって構成の標準化が図られてもよい。
【０１１２】
・添え番号ｎの昇順に先行する光スイッチ６９-(n-1)（またはＯＥＯ部６０-(n-1)）によって与えられた光クロック信号を二分する光カプラ７０-n
・光カプラ７０-nの一方の出力と、添え番号ｎの昇順に先行する光フィルタ３６-(n-1)の出力（ＯＥＯ部６０-(n-1)から与えられた光クロック信号）との何れか一方を選択する光スイッチ７０-n
なお、光カプラ７０-1、光スイッチ７０-1のように、分配されるべき光クロック信号の供給源に対応する光カプラや光スイッチについては、必ずしも設けられなくてもよい。
【０１１３】
図２１は、本発明の第四の実施形態を示す図である。
本実施形態と図１１に示す実施形態との構成の主要な相違点は、波長多重化部３１に代えて備えられた波長多重化部８０の構成にある。
波長多重化部８０と波長多重化部３１との構成の主要な相違点は、光フィルタ３６-1〜３６-Nの他方の出力と光カプラ３７-1〜３７-Nの他方の入力とにそれぞれ直結された入力ポートと出力ポートとを有する光スイッチ８１が備えられた点にある。
【０１１４】
以下、本実施形態の動作を説明する。
光スイッチ８１は、光領域でＮ×Ｎのマトリクス状の空間スイッチとして構成される。
さらに、この空間スイッチに形成されるべきクロスポイントは、既述の置局条件その他の局情報や系構成に基づいて予め適正に設定される。
【０１１５】
すなわち、個々の基準クロックの供給源となるべきＯＥＯ部と、その基準クロックが分配されるべきＯＥＯ部との組み合わせは、多様な局情報や系構成に柔軟に適応して設定される。
したがって、本実施形態によれば、既述の第一ないし第二の実施形態に比べて確度高く構成の標準化が図られ、かつコストの削減および信頼性の向上が図られる。
【０１１６】
図２２は、本発明の第五の実施形態を示す図である。
本実施形態と図３４に示す従来例との構成の主な相違点は、波長多重化部１１２に光多重伝送路１１３を介して接続された波長多重化部９０が備えられた点にある。
波長多重化部９０と、図１７に示す波長多重化部６１Ａとの構成の主な相違点は、下記の通りである。
【０１１７】
・送信増幅器１３２ｕは、その送信増幅器１３２ｕに励起光を供給する発光ダイオード９１を有する。
・選択部６６の出力は、このダイオード９１のバイアス回路に接続される。
以下、本実施形態の動作を説明する。
波長多重化部９０では、送信増幅器１３２ｕは、光多重伝送路１１３を介して波長多重化部１１２宛に送信すべき上り光信号の輝度を選択部６６によって選択された基準クロックの瞬時置に応じて変調する。
【０１１８】
このような上り光信号に波長多重化された個々の光信号は、波長多重化部１１２によって波長域で分離され、かつ個々の波長に対応したＯＥＯ部６０-1〜６０-Nに並行して分配される。
ＯＥＯ変換部６０-cは、既述の第二の実施形態におけるＯＥＯ変換部６０-2と同様にこの光信号を復調することによって基準クロックを再生し、その基準クロックに基づいて同期をとる。
【０１１９】
すなわち、図３４に示す波長多重化部１１２のように、配下のＯＥＯ部によって与えられた基準クロックを他のＯＥＯ部に分配する機能を具備しない場合であっても、これらのＯＥＯ部に対する基準クロックの分配が実現される。
したがって、本実施形態によれば、既設の波長多重化部が有効に利用され、かつ光伝送系の構築に要するコストの削減が可能となる。
【０１２０】
図２３は、本発明の第六および第七の実施形態を示す図である。
本実施形態と図２２に示す実施形態との構成の主な相違点は、波長多重化部９０に代えて波長多重化部９０Ａが備えられ、波長多重化部１１２に代えて波長多重化部１００が備えられた点にある。
波長多重化部９０Ａと波長多重化部９０との構成の主な相違点は、下記の点にある。
【０１２１】
・選択部６６の出力と発光ダイオード９１のバイアス回路との間にスイッチ１０１ｕが備えられる。
・スイッチ１０１ｕおよび選択部６６の制御端子に出力が接続され、かつ波長多重化部１００との間に敷設された通信リンク１０２の一端に接続された制御部１０３ｕが備えられる。
【０１２２】
波長多重化部１００と図１７に示す波長多重化部６１Ａとの構成の主な相違点は、下記の点にある。
・選択部６６の出力と発光ダイオード６７のバイアス回路との間にスイッチ１０１ｄが備えられる。
・スイッチ１０１ｄおよび選択部６６の制御端子に出力が接続され、かつ上述した通信リンク１０２の他端に接続された制御部１０３ｄが備えられる。
【０１２３】
図２４は、本発明の第六および第七の実施形態における制御部１０３ｄの動作フローチャートである。
図２５は、本発明の第六および第七の実施形態における制御部１０３ｕの動作フローチャートである。
以下、図２３〜図２５を参照して本発明の第六の実施形態の動作を説明する。
【０１２４】
波長多重化部１００に備えられた制御部１０３ｄは、下記の情報を予め局情報として有する。
・何れかのＯＥＯ部から選択部６６を介して基準クロック（以下、「外部基準クロック」という。）が供給されるか否かを示す「第一の二値情報」
・この外部基準クロックに代わる内部基準クロックが波長多重化部１００の内部で生成され、かつ選択部６６を介して与えられ得るか否かを示す「第二の二値情報」
・外部基準クロックの精度Ｅ
・内部基準クロックの精度Ｉ
また、波長多重化部９０Ａに備えられた制御部１０３ｕは、下記の情報を予め局情報として有する。
【０１２５】
・配下のＯＥＯ部から選択部６６を介して何らかの基準クロック（以下、「代替外部基準クロック」という。）が波長多重化部１００に分配されるべきか否かを示す「第三の二値情報」
・この代替外部基準クロックに代わる代替内部基準クロックが波長多重化部９０Ａの内部で生成され、かつ選択部６６を介して与えられ得るか否かを示す「第四の二値情報」
・代替外部基準クロックの精度ｅ
・代替基準クロックの精度ｉ
波長多重化部１００では、制御部１０３ｄは、上述した第一の二値情報と第二の二値情報との何れか一方が真であるか否かを判別し（図２４(1)）、その判別の結果が真である場合には、外部基準クロックと内部基準クロックとの内、その結果が「真」である一方を選択部６６を介して選択する（図２４(2)）。
【０１２６】
さらに、制御部１０３ｄは、スイッチ１０１ｄを介して発光ダイオード６７のバイアス回路にこのようにして選択された基準クロックを供給し（図２４(3)）、かつ通信リンク１０２を介して波長多重化部９０Ａ宛に、上述した代替外部基準クロックと代替基準クロックとの双方の分配の禁止を意味する「クロック分配禁止要求」を送出する（図２４(4)）。
【０１２７】
波長多重化部９０Ａでは、この「クロック分配禁止要求」を識別すると、制御部１０３ｕはスイッチ１０１ｕを開設定する（図２５(1)）。
したがって、光多重伝送路１１３には、代替外部基準クロックと代替基準クロックとの双方が送信されない。
さらに、波長多重化部１００の配下のＯＥＯ部６０-1〜６０-Nには、受信増幅器１３２ｄおよび光フィルタ１３１ｄを介して上述した外部基準クロックと内部基準クロックとの何れかが並行して供給される。
【０１２８】
また、波長多重化部１００では、制御部１０３ｄは、上述した第一の二値情報と第二の二値情報との双方が偽である場合には、通信リンク１０２を介して波長多重化部９０Ａ宛に、上述した代替外部基準クロックと代替内部基準クロックとの何れかが分配されるべき旨を意味する「クロック分配要求」を送出する（図２４(5)）。
【０１２９】
波長多重化部９０Ａでは、制御部１０３ｕは、上述した「クロック分配禁止要求」と「クロック分配要求」とが受信されるか否かにかかわらず、既述の第三の二値情報と第四の二値情報との何れか一方が真であるか否かを判別し、その判別の結果が真である場合には、代替外部基準クロックと代替内部基準クロックとの内、その結果として「真」を与える一方を選択部６６を介して選択する（図２５(2)）。
【０１３０】
制御部１０３ｕは、上述した「クロック分配要求」が識別されない限り、スイッチ１０１ｕを開設定する（図２５(3)）。しかし、その「クロック分配要求」が識別された場合には、制御部１０３ｕは、「クロック分配禁止要求」が識別される時点まで継続してスイッチ１０１ｕを閉設定する（図２５(4)）。
すなわち、波長多重化部１００の配下のＯＥＯ部６０-1〜６０-Nには、光多重伝送路１１３を介して波長多重化部９０Ａから分配されたクロック信号（代替外部クロック信号あるいは代替内部クロック信号）が受信増幅器１３２ｄおよび光フィルタ１３１ｄを介して並行して供給される。
【０１３１】
このように本実施形態によれば、波長多重化部１００が配下のＯＥＯ部６０-1〜６０-Nに基準クロックを何ら分配できない場合であっても、その基準クロックは光多重リンク１１３を介して他の波長多重化部９０Ａによって供給された代替外部基準クロックまたは代替内部基準クロックで代替される。
したがって、本実施形態によれば、第一ないし第五の実施形態に比べて信頼性、伝送品質およびサービス品質が高く維持される。
【０１３２】
以下、図２３〜図２５を参照して本発明の第七の実施形態の動作を説明する。本実施形態と上述した第六の実施形態との構成の主な相違点は、波長多重化部９０Ａ、１００にそれぞれ備えられた制御部１０３ｕ、１０３ｄが行う下記の処理の手順にある。
波長多重化部１００では、制御部１０３ｄは、既述の第一の二値情報と第二の二値情報との何れか一方が真である限り、通信リンク１０２を介して波長多重化部９０Ａ宛に所定の頻度で「クロック精度要求」を送出する（図２４(a)）。
【０１３３】
さらに、制御部１０３ｄは、上述した第一の二値情報と第二の二値情報との双方が真である場合には、外部基準クロックと内部基準クロックとの内、精度が高い一方を選択部６６を介して選択し（図２４(b)）、かつこれらの二値情報の値の如何にかかわらず、このようにして選択された一方のクロック信号の精度ａ（既述の精度Ｅ、Ｉの何れか一方）を特定する（図２４(c)）。
【０１３４】
また、波長多重化部９０Ａでは、制御部１０３ｕは、上述した第三の二値情報と第四の二値情報との双方が真である場合には、代替外部基準クロックと代替内部基準クロックとの内、精度が高い一方を選択部６６を介して選択し（図２５(a)）、これらの二値情報の値の如何にかかわらず、このようにして選択された一方のクロック信号の精度ｂ（既述の精度ｅ、ｉの何れか一方）を特定する（図２５(b)）。
【０１３５】
制御部１０３ｕは、第三の二値情報と第四の二値情報との何れか一方が真である限り、既述の「クロック精度要求」を識別する度に、通信リンク１０２を介して波長多重化部１００宛にこの精度ｂを含む「クロック精度通知」を送出する（図２５(c）)。
波長多重化部１００では、制御部１０３ｄは、その「クロック精度通知」に含まれる精度ｂと上述した精度ａとを比較し（図２４(d)）、前者が後者を上回る場合に限って、通信リンク１０２を介して波長多重化部９０Ａ宛に「クロック分配要求」を送出し（図２４(e)）、かつスイッチ１０１ｄを開設定する（図２４(f) ）。
【０１３６】
なお、このような「クロック分配要求」に応じて波長多重化部９０Ａに備えられた制御部１０３ｕが行う処理手順については、既述の第六の実施形態における処理の手順と同じであるので、ここでは、その説明を省略する。
このように本実施形態によれば、波長多重化部１００の配下のＯＥＯ部６０-1〜６０-Nに供給される基準クロックの精度は、既述の第六の実施形態に比べて高く維持される。
【０１３７】
したがって、伝送品質およびサービス品質が高められる。
なお、本実施形態では、波長多重化部９０Ａ、１００の間で通信リンク１０２を介して引き渡される「クロック分配禁止要求」、「クロック分配要求」、「クロック精度要求」および「クロック精度通知」の詳細な構成および内容が記載されていない。
【０１３８】
しかし、このような構成および内容については、既述の情報が所望の速度および頻度で引き渡される限り、如何なるものであってもよく、例えば、図２６に示すように、所定のパケットやフレームのヘッダ部に規定の形式で配置されてもよい。
また、上述した各実施形態では、ＯＥＯ変換部は、入力された光信号を一旦電気信号に変換した後に電気−光変換することによって、波長多重化部によって波長多重化されるべき異なる波長の光信号を生成している。
【０１３９】
しかし、本発明は、このような構成に限定されず、例えば、電気信号として入力された個々の信号が波長が異なる光信号に変換された後に波長多重化される光伝送系にも同様に適用可能である。
さらに、上述した各実施形態では、複数のＯＥＯ部に対するクロック信号の分配に本発明が適用されている。
【０１４０】
しかし、本発明は、このようなクロック信号の分配に限定されず、複数のＯＥＯ部間における同期信号（例えば、ＳＯＮＥＴやＳＤＨに適応した同期信号）の引き渡しにも同様に適用が可能である。
図２７は、本発明の第八の実施形態を示す図である。
図において、図３５に示す従来例との構成の相違点は、監視制御部２００-1〜２００-nが備えらず、かつＯＥＯ部１１０-1〜１１０-N、波長多重化部１１２およびＭＣ部２０１に代えてＯＥＯ部２１０-1〜２１０-N、波長多重化部２１１およびＭＣ部２１２がそれぞれ備えられた点にある。
【０１４１】
ＯＥＯ部２１０-1と図３４に示すＯＥＯ部１１０-1との構成の相違点は、下記の要素が備えられた点にある。
・一方の出力が図３４に示すＯＥ変換部１２４ｄ-1（図２７では、後述する「主信号変換部」の特定の初段に該当する。）の前段に配置された光フィルタ３４-1・この光フィルタ３４-1の他方の出力に縦続接続されたＯＥ変換部３５-1、監視制御支援部２１３-1およびＥＯ変換部３３-1
・そのＥＯ変換部３３-1の出力と図３４に示す波長変換部１２６ｕ-1（図２７では、後述する「主信号変換部」の特定の最終段に該当する。）の出力にがそれぞれ接続された２つの入力を有する光カプラ３２-1
なお、図３４に示すように、ＯＥ変換部１２４ｄ-1および波長変換部１２６ｕ-1を含み、かつこれらのＯＥ変換部１２４ｄ-1および波長変換部１２６ｕ-1と光伝送路１１１-1との間に配置された各部からなる集合については、本実施形態および後述する第九ないし第十一の実施形態には関係がないので、以下では、図２７に示すように、「主信号変換部２１４-1」として表記する。
【０１４２】
また、ＯＥＯ部２１０-2〜２１０-Nの構成については、ＯＥＯ変換部２１０-1の構成と同じであるので、以下では、簡単のため図示および詳細な説明を省略する。
波長多重化部２１１と図３４に示す波長多重化部１１２との構成の相違点は、下記の要素が備えられた点にある。
【０１４３】
・入力にＭＣ部２１２の下りの通信ポートが接続されたＥＯ変換部２１５ｄ
・そのＥＯ変換部２１５ｄに縦続接続された光カプラ２１６ｄ
・この光カプラ２１６ｄと光フィルタ１３１ｄとの第一ないし第Ｎの出力にそれぞれ接続された２つの入力を個別に有し、その光フィルタ１３１ｄの後段に配置された光カプラ２１７ｄ-1〜２１７ｄ-N
・一方の入力に光カプラ１３１ｕの出力が接続され、かつ一方の出力が送信増幅部１３２ｕの入力に接続された光カプラ２１７ｕ
・この光カプラ２１７ｕの他方の出力とＭＣ部２１２の上りの通信ポートとの間に縦続接続された光フィルタ２１８、光スイッチ２１９およびＯＥ変換部２２０・ＥＯ変換部２１５ｄの入力と共にＭＣ部２１２の下りの通信ポートに入力が接続され、かつ出力が光りスイッチ２１９の制御端子に接続された制御部２２１
図２８は、本発明の第八の実施形態の動作タイムチャートである。
【０１４４】
以下、図２７および図２８を参照して本発明の第八の実施形態の動作を説明する。
ＭＣ部２１２は、ＯＥＯ部２１０-1〜２１０-Nの保守あるいは運用に関連し、かつ既述の監視制御支援部２１３-1〜２１３-Nによって行われるべき処理（この処理の過程で参照されるべき情報が含まれてもよい。）を示すと共に、規定の形式のビット列（フレーム等）として構成される制御情報（以下、「コマンド」という。）を順次生成する。
【０１４５】
ＥＯ変換部２１５ｄは、既述の下り光多重信号に波長多重化された何れの下り光信号の波長とも異なる波長λ0 の光信号をこのコマンドの列（図２８(1)）で変調（ここでは、簡単のため、「強度変調」であると仮定する。）することによって「特定の下り光信号」（図２８(2)）を生成する。
光カプラ２１７ｄ-1〜２１７ｄ-Nは、この特定の下り光信号をそれぞれ「光フィルタ１３１ｄによって下り光多重信号から分離されたＮ波の下り光信号の内、対応する下り光信号」に波長多重化してＯＥＯ部２１０-1〜２１０-Nに分配する。
【０１４６】
なお、以下では、これらのＯＥＯ部２１０-1〜２１０-Nに共通の事項については、添え番号「１」〜「Ｎ」の何れにも該当し得ることを意味する添え番号「ｃ」を適用して記述する。
ＯＥＯ部２１０-cでは、光フィルタ３４-cは、このようにして分配された下り光信号と特定の下り光信号とを波長領域で分波し、それぞれ主信号変換部２１４-cとＯＥ変換部３５-cとに与える。
【０１４７】
ＯＥ変換部３５-cは、この特定の下り光信号をＯＥ変換することによって、既述のコマンドの列を復元する。
監視制御支援部２１３-cは、このコマンドの列を規定の形式に基づいて区分し、その形式に基づいて識別される宛先（ここでは、簡単のため、個々のコマンドの所定のフィールドに配置されると仮定する。）がその監視制御支援部２１３-cに該当するコマンドのみを抽出する。
【０１４８】
さらに、監視制御支援部２１３-cは、このようにして抽出されたコマンドを解析することによって、そのコマンドに対応して行われるべき所定の処理を起動する。
監視制御支援部２１３-cは、この処理の過程では、ＭＣ部２１２に引き渡されるべき応答（以下、単に「ステータス」という。）の列を適宜生成し、かつ上述したコマンドが抽出された時点から規定の時間に亘って遅延した時点にそのステータスの列（図２８(3)）を所定の形式のビット列として示す電気信号を出力する。
【０１４９】
なお、このようなビット列のビットレートについては、規定の値であると仮定する。
ＥＯ変換部３３-cは、既述の上りの光多重信号に波長多重化されるべき上り光信号の波長の何れとも異なるユニークな波長λc の光信号をこの電気信号に応じて変調（ここでは、簡単のため「強度変調であると仮定する。」することによって、「特定の上り光信号」（図２８(4)）を生成する。
【０１５０】
光カプラ３２-cは、この特定の上り光信号を主信号変換部２１４-cによって与えられた上り光信号に波長多重化して波長多重化部２１１に分配する。
波長多重化部２１１では、光カプラ１３１ｕは、このようにしてＯＥＯ部２１０-1〜２１０-Nから並行して与えられるＮ波の上り光信号とＮ波の特定の上り光信号とを波長多重化し、光カプラ２１７ｕおよび送信増幅部１３２ｕを介して光多重伝送路１１３に送出する。
【０１５１】
また、光フィルタ２１８は、光カプラ２１７ｕによって分波されたＮ波の上り光信号とＮ波の特定の上り光信号との内、これらのＮ波の特定の上り光信号を波長領域で逆多重化する。
制御部２２１は、既述のコマンドの列との同期の下で、個々のコマンドの宛先に該当する監視制御支援部（ＯＥＯ部）から送出されたステータスが受信されるべき期間に限って、そのステータスで変調された特定の上り光信号を示す選択信号（図２８(5)）をサイクリックに生成する。
【０１５２】
光スイッチ２１９は、上述したＮ波の特定の上り光信号の内、このような選択信号に対応する単一の特定の上り光信号を順次選択する。
ＯＥ変換部２２０は、このようにして選択された特定の上り光信号をＯＥ変換することによってステータスの列（図２８(6)）を生成する。
ＭＣ部２１２は、このステータスの列に含まれる個々のステータスを既述のコマンドの宛先と対応付けつつ識別し（図２８(7)）、そのステータスに応じて所定の処理を行う（図２８(8)）。
【０１５３】
なお、このようにしてＭＣ部２１２および監視制御支援部２１３-1〜２１３-Nによって行われる処理の手順については、ＯＥＯ部２１０-1〜２１０-Nの保守と運用との双方もしくは何れか一方にかかわる処理である限り、如何なる処理であってもよく、かつ本願発明の特徴ではないので、詳細な説明を省略する。
このように本実施形態によれば、ＭＣ部２１２とＯＥＯ部２１０-1〜２１０-Nとの間では、コマンドおよびステータスは、これらのＯＥＯ部２１０-1〜２１０-Nと波長多重化部２１１との間に敷設された既存の光伝送路を介して波長分割多重伝送方式に基づいて確実に引き渡される。
【０１５４】
したがって、ＯＥＯ部２１０-1〜２１０-Nの台数Ｎが大きく、またはノードの置局条件に応じて大幅に異なり、もしくは増設等に応じて広範に変化し得る場合であっても、配線の簡略化に併せて、上述したコマンドおよびステータスの引き渡しに供される線路から放射される電磁妨害雑音の削減が図られる。
なお、本実施形態では、光フィルタ２１８によって波長域で分離されたＮ波の特定の上り光信号の内、既述の選択信号に対応した単一の特定の上り光信号の選択が光りスイッチ２１９によって選択されている。
【０１５５】
しかし、本発明はこのような構成に限定されず、例えば、図２９に示すように、光スイッチ２１９に代えて、「選択信号で示される特定の上り光信号以外の全ての特定の光信号に対して所定のレベルに亘って減衰を与える光減衰器２２２」が備えられてもよい。
また、本実施形態は、例えば、波長多重化部２１１の要素の内、送信増幅部１３２ｕと受信増幅部１３２ｄと、他の要素とが別体の装置として構成される場合には、図２７に点線で示すように、ＥＯ変化部２１５ｄと光カプラ２１６ｄとの間に適宜光りカプラが付加されることによって、接続の簡略化が波長分割多重伝送方式に基づいて図られてもよい。
【０１５６】
さらに、本実施形態では、ＯＥＯ部２１０-1〜２１０-Nに順次伝達されるべきコマンドがＭＣ部２１２によってタイムリザーブ方式に基づいて送信されている。
しかし、本発明はこのような構成に限定されず、既述のコマンドとステータスとの全てもしくは一部は、例えば、ベースバンド領域（光の領域と電気の領域との何れでもよい。）でＴＤＭＡ、ＦＤＭＡ、ＣＤＭＡ、ＣＳＭＡ等の多元接続方式と、コンテンション方式、ポーリング方式、タイムリザーブ方式等のランダムアクセス制御方式との何れかに基づいて引き渡されてもよい。
【０１５７】
図３０は、本発明の第九の実施形態を示す図である。
図において、図２７に示す実施形態との構成の相違点は、波長多重化部２１１に代えて波長多重化部２１１Ａが備えられた点にある。
波長多重化部２１１Ａと波長多重化部２１１との構成の相違点は、光スイッチ２１９、ＯＥ変換部２２０および制御部２２１が備えられず、かつ光フィルタ１３１ｄが２Ｎ個の出力を有すると共に、光カプラ２１７ｄ-1〜２１７ｄ-Nの他方の入力にそれぞれこの光フィルタ１３１ｄの対応する出力が接続され、さらに、下記の要素が備えられた点にある。
【０１５８】
・ＯＥＯ部２１０-1〜２１０-Nに個別に対応し、かつＥＯ変換部２１５ｄに代えわるＥＯ変換部２１５ｄ-1〜２１５ｄ-N
・受信増幅部１３２ｄと光フィルタ１３１ｄとの段間に配置され、その受信増幅部１３２ｄの出力に併せてＥＯ変換部２１５-1〜２１５-Nの出力にそれぞれ  接続された(Ｎ＋１)個の入力を有する光カプラ２２３
・光フィルタ２１８の出力とＭＣ部２１２の対応する通信ポート（入力ポート）との間に個別に配置されたＯＥ変換部２２０-1〜２２０-N
以下、図３０を参照して本発明の第九の実施形態の動作を説明する。
【０１５９】
本実施形態と既述の第八の実施形態の相違点は、ＭＣ部２１２によって行われる下記の処理と、その処理の手順に基づいてＭＣ部２１２とＯＥＯ部２１０-1〜２１０-Nとの間でコマンドとステータスとが引き渡される過程にある。
ＭＣ部２１２は、ＯＥ変換部２１５ｄ-1〜２１５ｄ-Nの内、所望のコマンドの宛先となるべきＯＥＯ部２１０-cに対応したＥＯ変換部２１５ｄ-cに、そのコマンドを適宜与える。
【０１６０】
ＯＥ変換部２１５ｄ-cは、既述の下りの光多重信号に波長多重化された何れの光信号の波長とも異なり、かつユニークな波長Λc の光信号をこのコマンドで変調（ここでは、簡単のため、「強度変調である」と仮定する。）することによって「特定の下り光信号」を生成する。
光カプラ２２３は、このようにして生成されたＮ波の特定の下り光信号と、受信増幅部１３２ｄを介して与えられた下り光多重信号とを波長多重化する。
【０１６１】
さらに、光フィルタ１３１ｄは、これらのＮ波の特定の下り光信号とＮ波の下り光信号とを波長領域で逆多重化する。
光カプラ２１７ｄ-cは、これらの特定の下り光信号と下り光信号との内、ＯＥＯ部２１０-cに予め対応付けられた単一の特定の下り光信号と単一の下り光信号とを波長多重化してそのＯＥＯ部２１０-cに分配する。
【０１６２】
一方、ＯＥＯ部２１０-cでは、ＯＥ変換部３５-cは光フィルタ３４-cによって分離された特定の下り光信号をＯＥ変換することによってコマンドを取得する。監視制御支援部２１３-cは、このようなコマンドに所定の処理を施し、その処理の過程で何らかのステータスが生成された場合には、このコマンドが取得された時点の如何にかかわらずそのステータスを速やかにＥＯ変換部３３-cに与える。
【０１６３】
なお、ここでは、ＥＯ変換部３３-cおよび光カプラ３２-cの動作については、既述の第八の実施形態における動作と同じであるので、ここでは、その説明を省略する。
波長多重化部１１２Ａでは、光フィルタ２１８は、ＯＥＯ部２１０-1〜２１０-Nによって生成されたステータスで変調され、かつ光カプラ１３１ｕ、２１７ｕを介して非同期に与えられる個々の特定の上り光信号を波長領域で分離する。
【０１６４】
ＯＥ変換部２２０-1〜２２０-Nは、このようにして分離された個々の特定の上り光信号を適宜ＯＥ変換することによって、それぞれＯＥＯ部２１０-1〜２１０-Nによって生成されたステータスを復元する。
ＭＣＭ部２１２は、これらの復元されたステータスに応じて所定の処理を適宜起動することによって、既述の保守と運用とを効率的に達成する。
【０１６５】
すなわち、ＭＣ部２１２とＯＥＯ部２１０-1〜２１０-Nとの間には、波長多重化部２１１ＡとこれらのＯＥＯ部２１０-1〜２１０-Nとの間に敷設された既存の光伝送路を介して波長多重化方式により、メッシュ状の通信リンクが物理的に形成される。
したがって、本実施形態によれば、上述した第八の実施形態に比べて、ＭＣ部２１２とＯＥＯ部２１０-1〜２１０-Nとの間におけるコマンドとステータスとの引き渡しにかかわる時間軸上の制約が回避され、その引き渡しの効率が平均的に高められると共に、ＭＣ部２１２の処理量の範囲でＯＥＯ部２１０-1〜２１０-Nの多様な台数Ｎおよび増設に対する適応がさらに柔軟に可能となる。
【０１６６】
なお、本実施形態では、光フィルタ１３１ｄに併せて光カプラ２２３が波長多重化部２１１Ａに備えられている。
しかし、本発明はこのような構成に限定されず、例えば、光フィルタ１３１ｄと光カプラ２１７ｄ-1〜２１７ｄ-NとＥＯ変換部２１５ｄ-1〜２１５ｄ-Nとが実装される局舎、フレームおよびシェルフの何れかが共通である場合には、例えば、波長多重化部２１１Ａは下記の通りに構成されてもよい。
【０１６７】
・光フィルタ１３１ｄとして図２７に示す光フィルタ１３１ｄが搭載される。
・ＥＯ変換部２１５ｄ-1〜２１５ｄ-Nの出力が光りカプラ２１７ｄ-1〜２１７ｄ-Nの他方の入力に直結される。
また、本実施形態では、ＯＥＯ部２１０-1〜２１０-Nには、波長が異なり、かつユニークである特定の上りの光信号と特定の下りの光信号との双方が個別に割り付けられている。
【０１６８】
しかし、本発明は、このような構成に限定されず、例えば、置局条件に整合した共通の属性を有するＯＥＯ部の集合の単位に、特定の上り光信号と特定の下り光信号との双方もしくは何れか一方の波長が共通に割り付けられ、後述する多元接続方式やランダムアクセス制御方式の下で所望のコマンドとステータスとが引き渡されてもよい。
【０１６９】
図３１は、本発明の第十の実施形態を示す図である
図において、図２７に示す実施形態との構成の相違点は、ＯＥＯ部２１０-1〜２１０-Nに代えて備えられたＯＥＯ部２１０Ａ-1〜２１０Ａ-Nの構成と、波長多重化部２１１に代えて備えられた波長多重化部２１１Ｂとの構成にある。
ＯＥＯ部２１０Ａ-1とＯＥＯ部２１０-1との構成の相違点は、下記の点にある。
【０１７０】
・光カプラ３２-1およびＥＯ変換部３３-1が備えられない。
・主信号変換部２１４-1に備えられ、かつ上り光信号の増幅に供される励起光を出力する発光ダイオード６３-1のバイアス回路（図示されない。）に、監視制御支援部２１３の出力が接続される。
なお、ＯＥＯ部２１０Ａ-2〜２１０Ａ-Nの構成については、ＯＥＯ部２１０Ａ-1の構成と同じであるので、ここでは、説明および図示を省略する。
【０１７１】
波長多重化部２１１Ｂと波長多重化部２１１との構成の相違点は、下記の点にある。
・ＥＯ変換部２１５ｄ、光カプラ２１６ｄ、２１７ｄ-1〜２１７ｄ-N、光フィルタ２１８、光スイッチ２１９および制御部２２１が備えられない。
・受信増幅器１３２ｄにおいて下り光多重信号の増幅に供される励起光を出力する発光ダイオード６７のバイアス回路（図示されない。）にＭＣ部２１２の下りの通信リンクが接続される。
【０１７２】
・光フィルタ１３１ｄが有するＮ個の出力が光伝送路を介してＯＥＯ部２１０Ａ-1〜２１０Ａ-Nの対応する入力に接続される。
・光カプラ２１７ｕの他方の入力がＯＥ変換部２２０の入力に直結される。
以下、図３１を参照して本発明の第十の実施形態の動作を説明する。
まず、ＭＣ部２１２とＯＥＯ部２１０Ａ-1〜２１０Ａ-Nとには、既述のコマンドとステータスとの引き渡しに供されるべき所定の多元接続方式（例えば、ベースバンド領域におけるＦＤＭＡ方式、ＴＤＭＡ方式、ＣＤＭＡ方式、ＣＳＭＡ方式等）、あるいはランダムアクセス方式（例えば、コンテンション方式、ポーリング方式、タイムリザーブ方式の何れか）が予め適用される。
【０１７３】
ＭＣ部２１２は、このような多元接続方式あるいはランダムアクセス方式に適合した形式のコマンドを生成し、そのコマンドを示すビット列を波長多重化部２１１Ｂに与える。
波長多重化部２１１Ｂでは、受信増幅器１３２ｄは、このビット列の瞬時値に応じて発光ダイオード６７の動作点を可変することによって、既述の励起光の輝度を変調する。
【０１７４】
すなわち、受信増幅部１３２ｄによって出力される下り光多重信号には、上述したコマンドを示すビット列がこの下り光多重信号の輝度として重畳される。
光フィルタ１３１ｄは、この下り光多重信号を波長領域で分離することによって、上述したビット列が輝度として共通に重畳された下り光信号を生成し、これらの下り光信号をＯＥＯ部２１０Ａ-1〜２１０Ａ-Nに並行して分配する。
【０１７５】
したがって、上述したコマンドは、ＯＥＯ部２１０Ａ-1〜２１０Ａ-Nに備えられた監視制御支援部２１３-1〜２１３-Nに並行して配信される。
なお、このようなコマンドに応じて監視制御支援部２１３-cが行う処理については、既述の多元接続方式あるいはランダムアクセス制御にかかわる処理が付帯する点を除いて、基本的に既述の第八および第九の実施形態と同じであるので、ここでは、その詳細な説明を省略する。
【０１７６】
また、監視制御支援部２１３-cは、このような処理の過程で生成されたステータスを示すビット列を瞬時値として示す電気信号を波長変換部１２６ｕ-cに備えられた発光ダイオード６３-cのバイアス回路に与える。
すなわち、主信号変換部２１４-cにおいて上り光信号の増幅に供される励起光の輝度は上述したビット列で変調され、その波長変換部１２６ｕ-cによって出力される上り光信号にはそのビット列が重畳される。
【０１７７】
波長多重化部２１１Ｂでは、ＯＥ変換部２００は、光カプラ１３１ｕ、２１７ｕを介して与えられるこのような上り光信号をＯＥ変換することによって、上述したステータスを復元し、そのステータスをＭＣ部２１２に与える。
なお、ＯＥＯ部２１０Ａ-1〜２１０Ａ-Nの内、複数のＯＥＯ部によって並行して出力される上り光信号に同時に異なるビット列が重畳されること（以下、単に「衝突」という。）の回避、もしくはその衝突の発生後に行われるべき再送信等の復旧は、ＭＣ部２１２と監視制御支援部２１３-1〜２１３-Nが連係して行う既述の多元接続方式あるいはランダムアクセス方式の下で達成される。
【０１７８】
しかし、このような多元接続方式あるいはランダムアクセス方式に基づく通信制御の処理については、公知の多様な技術の適用の下で実現が可能であり、かつ本発明の特徴ではないので、ここではその説明を省略する。
このように本実施形態によれば、既述の第八および第九の実施形態に比べてハードウエアの構成が簡略され、かつＭＣ部２１２とＯＥＯ部２１０Ａ-1〜２１０Ａ-Nとの間では、これらのＯＥＯ部２１０Ａ-1〜２１０Ａ-Nの台数Ｎが大きく、あるいは広範に変化し得る場合であっても、コマンドとステータスとの引き渡しが確度高く達成される。
【０１７９】
なお、本実施形態では、コマンドとステータスとに応じて既述の励起光の輝度が変調されることによってこれらのコマンドとステータスとの引き渡しが実現されている。
しかし、本発明はこのような構成に限定されず、例えば、図３２に示すように、ステータスが従来例と同様にメタリックなリンクを介して引き渡され、あるいは既述の第八および第九の実施形態と同様にして引き渡されてもよい。
【０１８０】
また、このような構成の態様については、コマンドの引き渡しについても同様に適用が可能である。
さらに、上述した第八ないし第十の実施形態では、コマンドとステータスとの双方の引き渡しに本発明が適用されている。
しかし、本発明はこのような構成に限定されず、コマンドとステータスとの何れか一方もしくは一部のみに本発明が適用されることによって、これらのコマンドとステータスとの引き渡しに供される通信リンクを構成する線路の本数の削減や総延長の短縮が図られてもよい。
【０１８１】
また、上述した第八ないし第十の実施形態では、コマンドに応じて上り光多重信号の輝度が変調され、かつステータスに応じて下り光り信号の輝度が変調されている。
しかし、本発明はこのような構成に限定されず、これらのコマンドとステータスとの引き渡しを実現する変調の方式は、既述の多元接続方式やランダムアクセス制御方式に整合する限り、位相変調方式その他の如何なる変調方式が適用されてもよい。
【０１８２】
図３３は、本発明の第十一の実施形態を示す図である。
図において、既述の第八の実施形態との構成の相違点は、波長多重化部２１１に代えて備えられた波長多重化部２１１Ｃの構成と、ＭＣ部２１２に代えて備えられたＭＣ部２１２Ａの構成と点にある。
波長多重化部２１１Ｃと波長多重化部２１１との構成の相違点は、下記の点にある。
【０１８３】
・ＥＯ変換部２１５ｄ、光フィルタ２１８、光スイッチ２１９、ＯＥ変換部２２０および制御部２２１が備えられない。
・光カプラ２１６ｄの入力と、光カプラ２１７ｕの出力とがＭＣ部２１２Ａの対応するポートに光学的に接続される。
・ＭＣ部２１２ＡとＭＣ部２１２との構成の相違点は、下記の点にある。
【０１８４】
図２７に示すＭＣ部２１２に相当するプロセッサ２２４を備える。
上述したＥＯ変換部２１５ｄ、光フィルタ２１８、光スイッチ２１９、ＯＥ変換部２２０および制御部２２１が内蔵される。
なお、ＥＯ変換部２１５ｄ、光カプラ２１６ｄ、２１７ｕ、光フィルタ２１８、光スイッチ２１９、ＯＥ変換部２２０および制御部２２１の相互間の接続については、図２７に示す通りであるので、ここでは、その説明を省略する。
【０１８５】
以下、図３３を参照して本発明の第十の実施形態の動作を説明する。
まず、ＥＯ変換部２１５ｄ、光カプラ２１６ｄ、２１７ｕ、光フィルタ２１８、光スイッチ２１９、ＯＥ変換部２２０および制御部２２１の機能および連係動作については、既述の第八の実施形態と同じであるので、ここではその説明を省略する。
【０１８６】
ＭＣ部２１２Ａと波長多重化部２１１Ｃとの間は、光カプラ２１６ｄの入力と光カプラ２１７ｕの他方の出力とにそれぞれ一端が接続された光伝送路（または光ケーブル）を介して接続され、その波長多重化部２１１Ｃの内部には、メタリックな線路は何ら形成されない。
また、ＥＯ変換部２１５ｄの入力と光制御部２２１との入力およびＯＥ変換部２２０の出力と、上述したプロセッサ２２４の対応するポートとの間は、何れもＭＣ部２１２Ａの内部に形成されたメタリックな線路を介して接続される。
【０１８７】
このようなメタリックな線路はＭＣ部２１２Ａの内部にインピーダンスが高い最短の伝送路として構成され、これらの線路と外部との結合は所定の遮蔽が施されることによって静電的も電磁的にも粗に保たれ得る。
したがって、本実施形態によれば、一般に物理的な寸法が大きい波長多重化部２１１、２１１Ａ、２１１Ｂの内部に上述したメタリックな線路が形成される既述の第八ないし第十の実施形態に比べて、そのメタリックな線路から外部に放射される電磁妨害雑音のレベルの低減が図られ、このメタリックな線路に外部から到来する電磁波その他の外乱に起因する雑音余裕度や信頼性の低下が大幅に緩和される。
【０１８８】
なお、本実施形態では、図２７に示す実施形態に本発明が適用されている。
しかし、本発明は、このような構成に限定されず、例えば、図２９〜図３１および図３２の何れに示す実施形態にも、同様に適用可能である。
また、本発明は、上述した実施形態に限定されるものではなく、本発明の範囲において、多様な形態による実施形態が可能であり、かつ構成装置の一部もしくは全てに如何なる改良が施されてもよい。
【０１８９】
以下、上述した各実施形態に開示された発明の構成を階層的・多面的に整理し、かつ付記項として順次列記する。
（付記１）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記複数の信号変換装置１０-1〜１０-Nの内、特定の信号変換装置によって出力され、これらの信号変換装置１０-1〜１０-Nの全てまたは一部において同期の基準となる基準信号で変調された基準光信号を受信する基準信号受信手段１３と、
前記複数の信号変換装置１０-1〜１０-Nの全てあるいは一部に、前記基準信号受信手段１３によって受信された基準光信号を分配する基準信号分配手段１４と
を備えたことを特徴とする波長多重化装置。
【０１９０】
（付記２）  付記１に記載の波長多重化装置において、
前記特定の信号変換装置は、
その特定の信号変換装置によって送信される光信号に前記基準光信号を波長多重化し、
前記基準信号受信手段１３は、
波長領域で前記光信号から前記基準光信号を分離あるいは抽出することによって、その基準光信号を受信する
ことを特徴とする波長多重化装置。
【０１９１】
（付記３）  付記１または付記２の何れか１項に記載の波長多重化装置において、
前記基準信号受信手段１３は、
前記複数の信号変換装置１０-1〜１０-Nの内、複数の特定の信号変換装置によって個別に与えられる基準光信号を受信し、
基準信号分配手段１４、１４Ａは、
前記基準信号受信手段１３によって受信された基準光信号の内、何れかの基準光信号を分配する
ことを特徴とする波長多重化装置。
【０１９２】
（付記４）  付記１ないし付記３に記載の波長多重化装置において、
前記基準信号受信手段１３は、
前記複数の信号変換装置１０-1〜１０-Nの内、複数の特定の信号変換装置によって個別に与えられ、これらの信号変換装置１０-1〜１０-Nと前記光多重伝送路１１との全てまたは一部に予め対応付けられた基準光信号を受信し、
基準信号分配手段１４、１４Ａは、
前記基準信号受信手段１３によって受信された個々の基準光信号をその基準光信号に対応する信号変換装置または光多重伝送路１１に分配する
ことを特徴とする波長多重化装置。
【０１９３】
（付記５）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記信号変換装置１０-1〜１０-Nにおいて同期の基準となる基準信号で変調された基準光信号を生成する基準信号生成手段１５と、
前記複数の信号変換装置１０-1〜１０-Nの全てまたは一部に、前記基準信号生成手段１５によって生成された基準光信号を分配する基準信号分配手段１４Ｂと
を備えたことを特徴とする波長多重化装置。
【０１９４】
（付記６）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記複数の信号変換装置１０-1〜１０-Nの内、特定の信号変換装置によって出力され、これらの信号変換装置１０-1〜１０-Nの全てまたは一部において同期の基準となる基準信号で変調された基準光信号を受信する基準信号受信手段１３と、
前記複数の信号変換装置１０-1〜１０-Nの全てあるいは一部に、前記基準信号受信手段１３によって受信された基準光信号を分配する基準信号分配手段１４とを備え、
前記多重化手段１２は、
前記光多重伝送路１１を介して伝送される波長多重信号と、その波長多重信号から逆多重化された光信号の全てもしくは一部の光増幅を行う光増幅器を有し、
前記基準信号分配手段１４は、
前記基準信号受信手段１３によって受信されたで前記光増幅に供される励起光を変調することによってその基準光信号を分配する
ことを特徴とする波長多重化装置。
【０１９５】
（付記７）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記信号変換装置１０-1〜１０-Nにおいて同期の基準となる基準信号で変調された基準光信号を生成する基準信号生成手段１５と、
前記複数の信号変換装置１０-1〜１０-Nの全てまたは一部に、前記基準信号生成手段１５によって生成された基準光信号を分配する基準信号分配手段１４Ｂとを備え、
前記多重化手段１２は、
前記光多重伝送路１１を介して伝送される波長多重信号と、その波長多重信号から逆多重化された光信号の全てもしくは一部の光増幅を行う光増幅器を有し、
前記基準信号分配手段１４Ｂは、
前記選択基準信号生成手段１５によって生成された基準光信号で前記光増幅に供される励起光を変調することによってその基準光信号を分配する
ことを特徴とする波長多重化装置。
【０１９６】
（付記８）  伝送路２０を介して伝送される信号と、光多重伝送路２１を介して伝送される多重信号に波長多重化された光信号、もしくは波長多重化されるべき光信号との間における双方向または一方向の変換を行う変換手段２２と、
前記光信号と前記多重信号との間における多重化と逆多重化との双方もしくは何れか一方を行う波長多重化装置２３によって与えられ、かつ前記伝送路２０との同期の基準となる基準信号で変調された基準光信号を受信する基準信号受信手段２４とを備え、
前記変換手段２２は、
前記基準信号受信手段２４によって受信された基準光信号に基づいて前記同期をとる
ことを特徴とする信号変換装置。
【０１９７】
（付記９）  付記８に記載の信号変換装置において、
前記基準光信号は、
前記波長多重化装置２３によって前記多重信号から分離された特定の光信号にその波長多重化装置２３によって波長多重化され、
前記基準信号受信手段２４は、
前記基準光信号を波長領域で分離あるいは抽出することによって受信する
ことを特徴とする信号変換装置。
【０１９８】
（付記１０）  付記８または付記９に記載の信号変換装置において、
前記基準光信号は、
前記光多重伝送路２１を含む光伝送系の保守もしくは運用にかかわる情報の伝送に供される特定のチャネルを介して与えられる
ことを特徴とする信号変換装置。
【０１９９】
（付記１１）  伝送路２０を介して伝送される信号と、光多重伝送路２１を介して伝送される多重信号に波長多重化された光信号、もしくは波長多重化されるべき光信号との間における双方向または一方向の変換を行う変換手段２２と、
前記光信号と前記多重信号との間における多重化と逆多重化との双方もしくは何れか一方を行う波長多重化装置２３に、前記伝送路２０との同期の基準となる基準信号で変調された基準光信号を送出する基準信号送出手段２５と
を備えたことを特徴とする信号変換装置。
【０２００】
（付記１２）  付記１１に記載の信号変換装置において、
前記基準光信号の波長は、前記光信号の波長と異なり
前記基準信号送出手段２５は、
前記光信号に波長多重化された特定の光信号として前記基準光信号を前記波長多重化装置２３に送出する
ことを特徴とする信号変換装置。
【０２０１】
（付記１３）  付記１１または付記１２に記載の信号変換装置において、
前記変換手段２２は、
前記波長多重化装置２３に送出される光信号の光増幅を行う光増幅器を有し、
前記基準信号送出手段２５は、
前記基準光信号で前記光増幅に供される励起光を変調することによってその基準光信号を送出する
ことを特徴とする信号変換装置。
【０２０２】
（付記１４）  付記１１ないし付記１３の何れか１項に記載の信号変換装置において、
前記基準光信号は、
前記光多重伝送路２１を含む光伝送系の保守もしくは運用にかかわる情報の伝送に供される特定のチャネルを介して与えられる
ことを特徴とする波長多重化装置。
【０２０３】
（付記１５）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記信号変換装置１０-1〜１０-Nの保守と運用との双方もしくは何れか一方にかかわる情報に応じて、前記多重化手段１２によって行われるべき逆多重化の対象となる波長多重信号を変調する付加変調手段１７Ａと
を備えたことを特徴とする波長多重化装置。
【０２０４】
（付記１６）  付記１５に記載の波長多重化装置において、
前記付加変調手段１７Ａは、
前記保守と運用との双方もしくは何れか一方にかかわる情報に応じて前記波長多重信号の増幅に供される励起光の輝度を変調することによって、その波長多重信号を変調する
ことを特徴とする波長多重化装置。
【０２０５】
（付記１７）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記複数の信号変換装置１０-1〜１０-Nの保守と運用との双方もしくは何れか一方にかかわる情報に応じて、前記波長多重信号に波長多重化された光信号の何れの波長とも波長が異なる特定の光信号を変調する付加変調手段１７Ｂとを備え、
前記多重化装置１２は、
前記付加変調手段によって変調された特定の光信号を前記信号変換装置１０-1〜１０-Nに分配する
ことを特徴とする波長多重化装置。
【０２０６】
（付記１８）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記複数の信号変換装置１０-1〜１０-Nの内、一部の信号変換装置の保守と運用との双方もしくは何れか一方にかかわる個々の情報に応じて、前記波長多重信号に波長多重化された光信号の何れの波長とも波長が異なる特定の光信号を変調する付加変調手段１７Ｃとを備え、
前記多重化装置１２は、
前記付加変調手段１７Ｃによって変調された特定の光信号を前記一部の信号変換装置に分配する
ことを特徴とする波長多重化装置。
【０２０７】
（付記１９）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記複数の信号変換装置１０-1〜１０-Nの個々の保守と運用との双方もしくは何れか一方にかかわる情報に応じて、前記波長多重信号に波長多重化された光信号の何れの波長とも波長が異なるＮ波の特定の光信号を個別に変調する加変調手段１７Ｄとを備え、
前記多重化装置１２は、
前記付加変調手段１７Ｄによって変調されたＮ波の特定の光信号を前記複数の信号変換装置１０-1〜１０-Nに個別に分配する
ことを特徴とする波長多重化装置。
【０２０８】
（付記２０）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記信号変換装置１０-1〜１０-Nの保守と運用との双方もしくは何れか一方にかかわる情報に応じて変調された励起光に応じて、前記多重化手段１２によって行われるべき逆多重化の対象となる波長多重信号を増幅する増幅手段１８と
を備えたことを特徴とする波長多重化装置。
【０２０９】
（付記２１）  複数の信号変換装置１０-1〜１０-Nによって個別に送信もしくは受信され、かつ波長が異なる光信号と、光多重伝送路１１を介して伝送される波長多重信号との間における多重化と逆多重化との双方または何れか一方を行う多重化手段１２と、
前記複数の信号変換装置１０-1〜１０-Nの保守と運用との双方もしくは何れか一方にかかわる情報に応じて変調され、かつ波長が前記波長多重信号に波長多重化された光信号の何れの波長とも異なる特定の光信号を前記多重化手段１２に与える光インタフェース手段１９と、
前記多重化手段１２は、
前記光インタフェース手段１９によって与えられた特定の光信号を前記複数の信号変換装置１０-1〜１０-Nの何れかに波長分割多重伝送方式に基づいて分配する
ことを特徴とする波長多重化装置。
【０２１０】
（付記２２）  複数の信号変換装置１０-1〜１０-Nによって個別に送信もしくは受信され、かつ波長が異なると共に、これらの信号変換装置１０-1〜１０-Nの保守の運用との双方もしくは何れか一方にかかわる情報で変調された光信号と、光多重伝送路１１を介して伝送される波長多重信号との間における多重化と逆多重化との双方または何れか一方を行う多重化手段１２ａと、
前記多重化手段１２ａによって行われた多重化の過程で生成された波長多重信号を復調することによって、前記保守と運用との双方もしくは何れか一方にかかわる情報を復元し、その情報をこれらの保守もしくは運用に供される端末に引き渡す保守運用支援手段２６ａと
を備えたことを特徴とする波長多重化装置。
【０２１１】
（付記２３）  複数の信号変換装置１０-1〜１０-Nによって個別に送信もしくは受信され、かつ波長が異なる光信号、ならびにこれらの信号変換装置１０-1〜１０-Nの全てあるいは一部によって個別に送信され、かつ保守と運用との双方または何れか一方にかかわる情報で変調された特定の光信号と、光多重伝送路１１を介して伝送される波長多重信号との間における多重化と逆多重化との双方または何れか一方を行う多重化手段１２ｂと、
前記多重化手段１２によって行われた多重化の過程で生成された波長多重信号を復調することによって、前記保守と運用との双方もしくは何れか一方にかかわる情報を復元し、その情報をこれらの保守もしくは運用に供される端末に引き渡す保守運用支援手段２６ｂと
を備えたことを特徴とする波長多重化装置。
【０２１２】
（付記２４）  伝送路２０を介して伝送される信号と、光多重伝送路２１を介して伝送される波長多重信号に波長多重化された光信号、もしくは波長多重化されるべき光信号との間における双方向または一方向の変換を行う変換手段２２と、保守と運用との双方もしくは何れか一方にかかわる情報に応じて、前記波長多重信号に波長多重化されるべき光信号を変調する付加変調手段２７と
を備えたことを特徴とする信号変換装置。
【０２１３】
（付記２５）  付記２４に記載の信号変換装置において、
前記付加変調手段２７は、
前記保守と運用との双方もしくは何れか一方にかかわる情報に応じて、前記波長多重信号に波長多重化されるべき光信号の増幅に供される励起光の輝度を変調することによって、その光信号を変調する
ことを特徴とする信号変換装置。
【０２１４】
（付記２６）  伝送路２０を介して伝送される信号と、光多重伝送路２１を介して伝送される波長多重信号に波長多重化された光信号、もしくは波長多重化されるべき光信号との間における双方向または一方向の変換を行う変換手段２２と、保守と運用との双方もしくは何れか一方にかかわる情報に応じて、前記波長多重信号に波長多重化された光信号の何れの波長とも波長が異なる特定の光信号を変調する付加変調手段２７Ａとを備え、
前記変換手段２２は、
前記光多重伝送路２１を介して伝送される波長多重信号の多重化と逆多重化との双方もしくは何れか一方を行う波長多重化装置２９に、前記波長多重信号に波長多重化されるべき光信号と前記付加変調手段２７Ａによって変調された特定の光信号とを波長分割多重伝送方式に基づいて分配する
ことを特徴とする信号変換装置。
【０２１５】
（付記２７）  伝送路２０を介して伝送される信号と、光多重伝送路２１を介して伝送される波長多重信号から逆多重化され、かつ保守と運用との双方もしくは何れか一方にかかわる情報で変調された光信号、もしくはその波長多重信号に波長多重化されるべき光信号との間における双方向または一方向の変換を行う変換手段２２ａと、
前記変換手段２２ａによって行われた変換の過程で生成され、かつ前記保守と運用との双方もしくは何れか一方にかかわる情報で変調された光信号を復調することによってその情報を復元し、この情報をこれらの保守と運用に供される端末に引き渡す保守運用支援手段２９ａと
を備えたことを特徴とする信号変換装置。
【０２１６】
（付記２８）  伝送路２０を介して伝送される信号と、光多重伝送路２１を介して伝送される波長多重信号から逆多重化された光信号および保守と運用との双方もしくは何れか一方にかかわる情報で変調された特定の光信号、もしくはその波長多重信号に波長多重化されるべき光信号との間における双方向または一方向の変換を行う変換手段２２ｂと、
前記変換手段２２ｂによって行われた変換の過程で生成され、かつ前記保守と運用との双方もしくは何れか一方にかかわる情報で変調された光信号を復調することによってその情報を復元し、この情報をこれらの保守と運用に供される端末に引き渡す保守運用支援手段２９ｂと
を備えたことを特徴とする信号変換装置。
【０２１７】
【発明の効果】
上述したように第１および第２の技術では、複数の信号変換装置の間において基準光信号が直接引き渡されるために必要であった光伝送路の構成が簡略化され、かつ構成の標準化が図られる。
また、第３および第４の技術では、ハードウエアの規模が大幅に増加することなく、既設の光伝送路の共用が図られる。
さらに、第５の技術では、同期の基準が自立的に得られない場合であっても、置局条件や系構成に柔軟に適応し、かつその同期の確立が達成される。
【０２１８】
また、第６の技術では、置局条件や系構成の下で他の信号変換装置との同期の確立が達成される。
また、第７の技術と第５の技術の下位概念の発明とでは、コストが増加することなく、かつ信頼性が低下することなく、総合的な信頼性が高く維持される。
【０２１９】
第８の技術と第９の技術に関連した第一の発明とでは、既存のチャネルの伝送品質が高く維持される。
第９の技術では、従来例に比べて、布線の簡略化と総延長の短縮とが大幅に図られる。
さらに、第１の技術の第一の下位概念の発明では、コストの削減に併せて構成の簡略化が図られる。
【０２２０】
また、第１の技術の第二の下位概念の発明では、多様な構成に対する柔軟な適応が可能となる。
さらに、第１の技術の第三の下位概念の発明では、基準光信号を生成する手段が備えられない場合であっても、置局条件や系構成の下で他の信号変換装置との同期の確立が達成される。
【０２２１】
また、第５の技術に関連した発明と第６および第７の技術に関連した第二の発明とでは、増設や新たなサービスに対する適応の柔軟性が担保される。
さらに、第６および第７の技術に関連した第一の発明では、ハードウエアの規模が大幅に増加することなく、既設の光伝送路の共用が達成される。
【０２２２】
第６および第７の技術に関連した第二の発明と、第９の技術の下位概念の発明では、構成が簡略化され、かつ消費電力の節減が図られる。
第８の技術に関連した第一の発明では、信号変換装置の数が大きく、あるいはその数が広範に増減し得る場合であっても、保守や運用にかかわる情報の配信に供される波長の数およびハードウエアの規模の削減が可能となる。
【０２２３】
第８の技術に関連した第二の発明では、保守や運用にかかわる情報は、複雑な多元接続方式やランダムアクセス制御方式が介在することなく、宛先となるべき信号変換装置に無手順で伝送され得る。
第８の技術に関連した第三ないし第六の発明では、電磁妨害の放射が確度高く回避され、あるいは規制される。
【０２２４】
第９の技術に関連した第二および第三の発明では、ノードの構成および保守や運用の多様な形態に対する柔軟な適応が可能となる。
したがって、これらの発明が適用された光伝送系では、多様な機器の構成・規模、保守・運用の形態および置局条件に併せて、波長多重化されるべき波長の数の増加に対する柔軟な適応が可能となり、かつランニングコストの削減と総合的な信頼性の向上とが図られる。
【図面の簡単な説明】
【図１】本発明にかかわる第一の波長多重化装置の原理ブロック図である。
【図２】本発明にかかわる第二の波長多重化装置の原理ブロック図である。
【図３】本発明にかかわる第一の信号変換装置の原理ブロック図である。
【図４】本発明にかかわる第二の信号変換装置の原理ブロック図である。
【図５】本発明にかかわる第三の波長多重化装置の原理ブロック図である。
【図６】本発明にかかわる第四の波長多重化装置の原理ブロック図である。
【図７】本発明にかかわる第五の波長多重化装置の原理ブロック図である。
【図８】本発明にかかわる第六の波長多重化装置の原理ブロック図である。
【図９】本発明にかかわる第三の信号変換装置の原理ブロック図である。
【図１０】本発明にかかわる第四の信号変換装置の原理ブロック図である。
【図１１】本発明の第一の実施形態を示す図である。
【図１２】本発明の第一の実施形態の他の構成を示す図(1) である。
【図１３】本発明の第一の実施形態の他の構成を示す図(2) である。
【図１４】本発明の第一の実施形態の他の構成を示す図(3) である。
【図１５】本発明の第二の実施形態を示す図である。
【図１６】本発明の第二の実施形態の動作タイムチャートである。
【図１７】本発明の第三の実施形態を示す図である。
【図１８】本発明の第三の実施形態の他の構成を示す図(1) である。
【図１９】本発明の第三の実施形態の他の構成を示す図(2) である。
【図２０】本発明の第三の実施形態の他の構成を示す図(3) である。
【図２１】本発明の第四の実施形態を示す図である。
【図２２】本発明の第五の実施形態を示す図である。
【図２３】本発明の第六および第七の実施形態を示す図である。
【図２４】本発明の第六および第七の実施形態における制御部１０３ｄの動作フローチャートである。
【図２５】本発明の第六および第七の実施形態における制御部１０３ｕの動作フローチャートである。
【図２６】本発明の第六および第七の実施形態で引き渡されるメッセージの構成を示す図である。
【図２７】本発明の第八の実施形態を示す図である。
【図２８】本発明の第八の実施形態の動作タイムチャートである。
【図２９】本発明の第八の実施形態の他の構成を示す図である。
【図３０】本発明の第九の実施形態を示す図である。
【図３１】本発明の第十の実施形態を示す図である。
【図３２】本発明の第十の実施形態の他の構成を示す図である。
【図３３】本発明の第十一の実施形態を示す図である。
【図３４】波長分割多重伝送方式に適応したノードの第一の構成例を示す図である。
【図３５】波長分割多重伝送方式に適応したノードの第二の構成例を示す図である。
【符号の説明】
１０  信号変換装置
１１，２１，４１，１１３  光多重伝送路
１２，１２ａ，１２ｂ  多重化手段
１３，２４  基準信号受信手段
１４，１４Ａ，１４Ｂ  基準信号分配手段
１５  基準信号生成手段
１７Ａ，１７Ｂ，１７Ｃ，１７Ｄ，２７，２７Ａ  付加変調手段
１８  増幅手段
１９  光インタフェース手段
２０  伝送路
２２，２２ａ，２２ｂ  変換手段
２３，２８，４２，４２ａ  波長多重化装置
２５  基準信号送出手段
２６ａ，２６ｂ，２９ａ，２９ｂ  保守運用支援手段
３０，６０，１１０，２１０，２１０Ａ  ＯＥＯ部
３１，６１，６１Ａ，８０，９０，９０Ａ，１００，１１２，２１１，２１１Ａ，２１１Ｂ，２１１Ｃ  波長多重化部
３２，３７，３８，６９，７０，１３１ｄ，１３１ｕ，２１６ｄ，２１７ｄ，２３３  光カブラ
３３，２１５ｄ  ＥＯ変換部
３４，３４Ａ，３６，２１８  光フィルタ
３５，１２４ｄ，１２４ｕ，２２０  ＯＥ変換部
３９，７１，８１，２１９  光スイッチ
４０，４０ａ  保守運用処理手段
４３，４３ａ  網インタフェース手段
６２  光増幅器
６３，６７，９１  発光ダイオード
６４，１２９ｄ，１２９ｕ  クロック抽出部
６５  クロック再生部
６６  選択部
１０１ｄ，１０１ｕ  スイッチ
１０２  通信リンク
１０３ｄ，１０３ｕ，２２１  制御部
１１１  光伝送路
１２５ｄ，１２５ｕ  同期部
１２６ｄ，１２６ｕ  波長変換部
１２７  クロック受信部
１２８  クロック生成部
１３０  クロック選択部
１３２ｄ  受信増幅器
１３２ｕ  送信増幅器
２００  監視制御部
２１２，２１２Ａ  ＭＣ部
２１３  監視制御支援部
２１４  主信号変換部
２２２  光アッテネータ
２２４  プロセッサ
【図１】
0003967891.tif 000002
【図２】
0003967891.tif 000003
【図３】
0003967891.tif 000004
【図４】
0003967891.tif 000005
【図５】
0003967891.tif 000006
【図６】
0003967891.tif 000007
【図７】
0003967891.tif 000008
【図８】
0003967891.tif 000009
【図９】
0003967891.tif 000010
【図１０】
0003967891.tif 000011
【図１１】
0003967891.tif 000012
【図１２】
0003967891.tif 000013
【図１３】
0003967891.tif 000014
【図１４】
0003967891.tif 000015
【図１５】
0003967891.tif 000016
【図１６】
0003967891.tif 000017
【図１７】
0003967891.tif 000018
【図１８】
0003967891.tif 000019
【図１９】
0003967891.tif 000020
【図２０】
0003967891.tif 000021
【図２１】
0003967891.tif 000022
【図２２】
0003967891.tif 000023
【図２３】
0003967891.tif 000024
【図２４】
0003967891.tif 000025
【図２５】
0003967891.tif 000026
【図２６】
0003967891.tif 000027
【図２７】
0003967891.tif 000028
【図２８】
0003967891.tif 000029
【図２９】
0003967891.tif 000030
【図３０】
0003967891.tif 000031
【図３１】
0003967891.tif 000032
【図３２】
0003967891.tif 000033
【図３３】
0003967891.tif 000034
【図３４】
0003967891.tif 000035
【図３５】
0003967891.tif 000036